(57)【要約】  本発明の一態様による端末が下りリンク制御情報を受信する方法は、ＲＥＧに対するバンドリング情報を上位階層シグナリングを通じて受信し、複数のＯＦＤＭシンボル上に設定された ＣＯＲＥＳＥＴ内でＰＤＣＣＨに対するブラインド検出を行い、前記ＰＤＣＣＨからＤＣＩを得ることを含む。端末は、バンドリング情報が第１の値を指示すると、ＣＯＲＥＳＥＴ内で同一のＲＢ上に位置し、他のＯＦＤＭシンボルに該当するＲＥＧのみを１つのＲＥＧバンドルにバンドリングし、バンドリング情報が第２の値を指示すると、ＣＯＲＥＳＥＴ内で同一のＲＢ上に位置し、他のＯＦＤＭシンボルに該当するＲＥＧだけではなく他のＲＢ上に位置するＲＥＧを共に１つのＲＥＧバンドルにバンドリングし、ＲＥＧバンドリングの結果によって同一のＲＥＧバンドルに属するＲＥＧに対して同一のプリコーディングを仮定してＰＤＣＣＨに対するブラインド検出を行う。【選択図】図１２
2020518138.tif 000002
【特許請求の範囲】
【請求項１】
無線通信システムにおいて端末が下りリンク制御情報を受信する方法であって、
各々が１ＲＢ(ｒｅｓｏｕｒｃｅ  ｂｌｏｃｋ)及び１ＯＦＤＭ(ｏｒｔｈｏｇｏｎａｌ  ｆｒｅｑｕｅｎｃｙ  ｄｉｖｉｓｉｏｎａｌ  ｍｕｌｔｉｐｌｅｘｉｎｇ)シンボルに該当するＲＥＧ(ｒｅｓｏｕｒｃｅ  ｅｌｅｍｅｎｔ  ｇｒｏｕｐ)に対するバンドリング(ｂｕｎｄｌｉｎｇ)情報を上位階層シグナリングを通じて受信する段階と、
複数のＯＦＤＭシンボル上に設定された制御リソースセット(ＣＯＲＥＳＥＴ)内で下りリンク制御チャネル(ＰＤＣＣＨ)に対するブラインド検出を行う段階と、
前記ブラインド検出されたＰＤＣＣＨから下りリンク制御情報(ＤＣＩ)を得る段階とを含み、
前記ＰＤＣＣＨに対するブラインド検出において、前記端末は、
前記バンドリング情報が第１の値を指示すると、前記ＣＯＲＥＳＥＴ内で同一のＲＢ上に位置し、他のＯＦＤＭシンボルに該当するＲＥＧのみを１つのＲＥＧバンドルにバンドリングし、
前記バンドリング情報が第２の値を指示すると、前記ＣＯＲＥＳＥＴ内で同一のＲＢ上に位置し、他のＯＦＤＭシンボルに該当するＲＥＧだけではなく他のＲＢ上に位置するＲＥＧを共に１つのＲＥＧバンドルにバンドリングし、
ＲＥＧバンドリングの結果によって同一のＲＥＧバンドルに属するＲＥＧに対して同一のプリコーディングを仮定して前記ＰＤＣＣＨに対するブラインド検出を行う、方法。
【請求項２】
前記バンドリング情報が前記第１の値を指示する場合、１ＲＥＧバンドルのサイズが前記ＣＯＲＥＳＥＴを構成する前記複数のＯＦＤＭシンボルの数と同一に設定される、請求項１に記載の方法。
【請求項３】
前記バンドリング情報が前記第２の値を指示する場合、１ＲＥＧバンドルのサイズは１ＣＣＥ(ｃｏｎｔｒｏｌ  ｃｈａｎｎｅｌ  ｅｌｅｍｅｎｔ)を構成するＲＥＧの数と同一に設定される、請求項１又は２に記載の方法。
【請求項４】
前記ＣＯＲＥＳＥＴを含む１つ又は２つ以上のＣＯＲＥＳＥＴが前記端末に設定され、
前記１つ又は２つ以上のＣＯＲＥＳＥＴの各々に前記バンドリング情報及びＣＣＥ−ｔｏ−ＲＥＧマッピングタイプが指示される、請求項１に記載の方法。
【請求項５】
前記バンドリング情報は１ＲＥＧバンドルを構成するＲＥＧの数を示すバンドルサイズ情報を含む、請求項１又は４に記載の方法。
【請求項６】
前記ＣＯＲＥＳＥＴのＣＣＥ−ｔｏ−ＲＥＧマッピングタイプは、
局部(ｌｏｃａｌｉｚｅｄ)マッピングタイプとインターリービング(ｉｎｔｅｒｌｅａｖｅｄ)マッピングタイプのうち、前記インターリービングマッピングタイプに設定される、請求項１に記載の方法。
【請求項７】
前記ＣＣＥ−ｔｏ−ＲＥＧマッピングのためのインターリービングは、ＲＥＧバンドルインデックスを用いてＲＥＧバンドル単位で行われる、請求項６に記載の方法。
【請求項８】
前記ＣＣＥ−ｔｏ−ＲＥＧマッピングタイプによって支援されるバンドルのサイズが異なる、請求項４又は６に記載の方法。
【請求項９】
前記バンドリング情報は、同一のＣＣＥ内に属するＲＥＧのバンドリングのためのイントラ(ｉｎｔｒａ)−ＣＣＥバンドルのサイズ情報、及び他のＣＣＥに属するＲＥＧのバンドリングためのインタ(ｉｎｔｅｒ)−ＣＣＥバンドルのサイズ情報のうち、いずれか１つを含み、
前記バンドリング情報が前記インタ−ＣＣＥバンドルのサイズ情報を含む場合、
前記端末は同一のインタ−ＣＣＥバンドルに属する他のＣＣＥのＲＥＧに対して同一のプリコーディングを仮定して前記ＰＤＣＣＨのブラインド検出を行う、請求項１に記載の方法。
【請求項１０】
前記バンドリング情報が前記第１の値を指示すると、前記端末は時間ドメインＲＥＧバンドリングを行い、
前記バンドリング情報が前記第２の値を指示すると、前記端末は時間−周波数ドメインＲＥＧバンドリングを行う、請求項１に記載の方法。
【請求項１１】
前記ＣＯＲＥＳＥＴを構成する前記複数のＯＦＤＭシンボルの数は２又は３である、請求項１に記載の方法。
【請求項１２】
前記端末は、前記同一のＲＥＧバンドルに属するＲＥＧを通じて受信される参照信号に同一のプリコーディングが適用されたと仮定して前記ＰＤＣＣＨに対する復調(ｄｅｍｏｄｕｌａｔｉｏｎ)を行う、請求項１に記載の方法。
【請求項１３】
無線通信システムにおいて基地局が下りリンク制御情報を送信する方法であって、
各々が１ＲＢ(ｒｅｓｏｕｒｃｅ  ｂｌｏｃｋ)及び１ＯＦＤＭ(ｏｒｔｈｏｇｏｎａｌ  ｆｒｅｑｕｅｎｃｙ  ｄｉｖｉｓｉｏｎａｌ  ｍｕｌｔｉｐｌｅｘｉｎｇ)シンボルに該当するＲＥＧ(ｒｅｓｏｕｒｃｅ  ｅｌｅｍｅｎｔ  ｇｒｏｕｐ)に対するバンドリング(ｂｕｎｄｌｉｎｇ)情報を上位階層シグナリングを通じて送信する段階と、
複数のＯＦＤＭシンボル上に設定された制御リソースセット(ＣＯＲＥＳＥＴ)内で下りリンク制御チャネル(ＰＤＣＣＨ)を通じて下りリンク制御情報(ＤＣＩ)を送信する段階を含み、
前記ＤＣＩの送信において、前記基地局は、
前記バンドリング情報が第１の値を指示すると、前記ＣＯＲＥＳＥＴ内で同一のＲＢ上に位置し、他のＯＦＤＭシンボルに該当するＲＥＧのみを１つのＲＥＧバンドルにバンドリングし、
前記バンドリング情報が第２の値を指示すると、前記ＣＯＲＥＳＥＴ内で同一のＲＢ上に位置し、他のＯＦＤＭシンボルに該当するＲＥＧだけではなく他のＲＢ上に位置するＲＥＧを共に１つのＲＥＧバンドルにバンドリングし、
ＲＥＧバンドリングの結果によって同一のＲＥＧバンドルに属するＲＥＧに対して同一のプリコーディングを適用して前記ＤＣＩを送信する、方法。
【請求項１４】
下りリンク制御情報を受信する端末であって、
受信器と、
前記受信器を用いて各々が１ＲＢ(ｒｅｓｏｕｒｃｅ  ｂｌｏｃｋ)及び１ＯＦＤＭ(ｏｒｔｈｏｇｏｎａｌ  ｆｒｅｑｕｅｎｃｙ  ｄｉｖｉｓｉｏｎａｌ  ｍｕｌｔｉｐｌｅｘｉｎｇ)シンボルに該当するＲＥＧ(ｒｅｓｏｕｒｃｅ  ｅｌｅｍｅｎｔ  ｇｒｏｕｐ)に対するバンドリング(ｂｕｎｄｌｉｎｇ)情報を上位階層シグナリングを通じて受信し、複数のＯＦＤＭシンボル上に設定された制御リソースセット(ＣＯＲＥＳＥＴ)内で下りリンク制御チャネル(ＰＤＣＣＨ)に対するブラインド検出を行い、前記ブラインド検出されたＰＤＣＣＨから下りリンク制御情報(ＤＣＩ)を得るプロセッサを含み、
前記ＰＤＣＣＨに対するブラインド検出において、前記プロセッサは、
前記バンドリング情報が第１の値を指示すると、前記ＣＯＲＥＳＥＴ内で同一のＲＢ上に位置し、他のＯＦＤＭシンボルに該当するＲＥＧのみを１つのＲＥＧバンドルにバンドリングし、
前記バンドリング情報が第２の値を指示すると、前記ＣＯＲＥＳＥＴ内で同一のＲＢ上に位置し、他のＯＦＤＭシンボルに該当するＲＥＧだけではなく他のＲＢ上に位置するＲＥＧを共に１つのＲＥＧバンドルにバンドリングし、
ＲＥＧバンドリングの結果によって同一のＲＥＧバンドルに属するＲＥＧに対して同一のプリコーディングを仮定して前記ＰＤＣＣＨに対するブラインド検出を行う、端末。
【請求項１５】
下りリンク制御情報を送信する基地局であって、
送信器と、
前記送信器を用いて各々が１ＲＢ(ｒｅｓｏｕｒｃｅ  ｂｌｏｃｋ)及び１ＯＦＤＭ(ｏｒｔｈｏｇｏｎａｌ  ｆｒｅｑｕｅｎｃｙ  ｄｉｖｉｓｉｏｎａｌ  ｍｕｌｔｉｐｌｅｘｉｎｇ)シンボルに該当するＲＥＧ(ｒｅｓｏｕｒｃｅ  ｅｌｅｍｅｎｔ  ｇｒｏｕｐ)に対するバンドリング(ｂｕｎｄｌｉｎｇ)情報を上位階層シグナリングを通じて送信し、複数のＯＦＤＭシンボル上に設定された制御リソースセット(ＣＯＲＥＳＥＴ)内で下りリンク制御チャネル(ＰＤＣＣＨ)を通じて下りリンク制御情報(ＤＣＩ)を送信するプロセッサを含み、
前記ＤＣＩの送信において、前記プロセッサは、
前記バンドリング情報が第１の値を指示すると、前記ＣＯＲＥＳＥＴ内で同一のＲＢ上に位置し、他のＯＦＤＭシンボルに該当するＲＥＧのみを１つのＲＥＧバンドルにバンドリングし、
前記バンドリング情報が第２の値を指示すると、前記ＣＯＲＥＳＥＴ内で同一のＲＢ上に位置し、他のＯＦＤＭシンボルに該当するＲＥＧだけではなく他のＲＢ上に位置するＲＥＧを共に１つのＲＥＧバンドルにバンドリングし、
ＲＥＧバンドリングの結果によって同一のＲＥＧバンドルに属するＲＥＧに対して同一のプリコーディングを適用して前記ＤＣＩを送信する、基地局。
【発明の詳細な説明】
【技術分野】
【０００１】
本発明は無線通信システムに関し、より具体的には無線通信システムにおいて下りリンク制御情報を送信又は受信する方法及びそのための装置に関する。
【背景技術】
【０００２】
まず、既存の３ＧＰＰ  ＬＴＥ／ＬＴＥ−Ａシステムについて簡略に説明する。図１を参照すると、端末は初期セル探索を行う(Ｓ１０１)。初期セル探索の過程において、端末は基地局からＰ−ＳＣＨ(Ｐｒｉｍａｒｙ  Ｓｙｎｃｈｒｏｎｉｚａｔｉｏｎ  Ｃｈａｎｎｅｌ)及びＳ−ＳＣＨ(Ｓｅｃｏｎｄａｒｙ  Ｓｙｎｃｈｒｏｎｉｚａｔｉｏｎ  Ｃｈａｎｎｅｌ)を受信して基地局と下りリンク同期を確立し、セルＩＤなどの情報を得る。その後、端末はＰＢＣＨ(Ｐｈｙｓｉｃａｌ  Ｂｒｏａｄｃａｓｔ  Ｃｈａｎｎｅｌ)を介してシステム情報(ｅ.ｇ.，ＭＩＢ)を得る。端末はＤＬＲＳ(Ｄｏｗｎｌｉｎｋ  Ｒｅｆｅｒｅｎｃｅ  Ｓｉｇｎａｌ)を受信して下りリンクチャネル状態を確認することができる。
【０００３】
初期セル探索の後、端末はＰＤＣＣＨ(Ｐｈｙｓｉｃａｌ  Ｄｏｗｎｌｉｎｋ  Ｃｏｎｔｒｏｌ  Ｃｈａｎｎｅｌ)及びＰＤＣＣＨによりスケジュールされたＰＤＳＣＨ(Ｐｈｙｓｉｃａｌ  Ｄｏｗｎｌｉｎｋ  Ｃｏｎｔｒｏｌ  Ｃｈａｎｎｅｌ)を受信して、より具体的なシステム情報(ｅ.ｇ.，ＳＩＢｓ)を得る(Ｓ１０２)。
【０００４】
端末は上りリンク同期化のために任意接続の過程(Ｒａｎｄｏｍ  Ａｃｃｅｓｓ  Ｐｒｏｃｅｄｕｒｅ)を行うことができる。端末はＰＲＡＣＨ(Ｐｈｙｓｉｃａｌ  Ｒａｎｄｏｍ  Ａｃｃｅｓｓ  Ｃｈａｎｎｅｌ)を介してプリアンブル(ｅ．ｇ．，Ｍｓｇ１)を伝送し(Ｓ１０３)、ＰＤＣＣＨ及びＰＤＣＣＨに対応するＰＤＳＣＨを介してプリアンブルに対する応答メッセージ(ｅ.ｇ.，Ｍｓｇ２)を受信する(Ｓ１０４)。競争基盤任意接続の場合は、さらにＰＲＡＣＨの伝送(Ｓ１０５)及びＰＤＣＣＨ／ＰＤＳＣＨの受信(Ｓ１０６)のような衝突解決手順(Ｃｏｎｔｅｎｔｉｏｎ  Ｒｅｓｏｌｕｔｉｏｎ  Ｐｒｏｃｅｄｕｒｅ)が行われる。
【０００５】
その後、端末は、一般的な上／下りリンク信号の伝送手順としてＰＤＣＣＨ／ＰＤＳＣＨの受信(Ｓ１０７)及びＰＵＳＣＨ(Ｐｈｙｓｉｃａｌ  Ｕｐｌｉｎｋ  Ｓｈａｒｅｄ  Ｃｈａｎｎｅｌ)／ＰＵＣＣＨ(Ｐｈｙｓｉｃａｌ  Ｕｐｌｉｎｋ  Ｃｏｎｔｒｏｌ  Ｃｈａｎｎｅｌ)の伝送(Ｓ１０８)を行う。端末が基地局にＵＣＩ(Ｕｐｌｉｎｋ  Ｃｏｎｔｒｏｌ  Ｉｎｆｏｒｍａｔｉｏｎ)を送信する。ＵＣＩはＨＡＲＱ  ＡＣＫ／ＮＡＣＫ(Ｈｙｂｒｉｄ  Ａｕｔｏｍａｔｉｃ  Ｒｅｐｅａｔ  ｒｅＱｕｅｓｔ  Ａｃｋｎｏｗｌｅｄｇｅｍｅｎｔ／Ｎｅｇａｔｉｖｅ−ＡＣＫ)、ＳＲ(Ｓｃｈｅｄｕｌｉｎｇ  Ｒｅｑｕｅｓｔ)、ＣＱＩ(Ｃｈａｎｎｅｌ  Ｑｕａｌｉｔｙ  Ｉｎｄｉｃａｔｏｒ)、ＰＭＩ(Ｐｒｅｃｏｄｉｎｇ  Ｍａｔｒｉｘ  Ｉｎｄｉｃａｔｏｒ)及び／又はＲＩ(Ｒａｎｋ  Ｉｎｄｉｃａｔｉｏｎ)などを含む。
【発明の概要】
【発明が解決しようとする課題】
【０００６】
本発明が達成しようとする技術的課題は、無線通信システムにおいてＲＥＧバンドリング(ｂｕｎｄｌｉｎｇ)を通じて下りリンク制御情報をより効率的かつ正確に送受信する方法及びそのための装置を提供することにある。
【０００７】
本発明の技術的課題は前記技術的課題に制限されず、他の技術的課題は下記の記載から明らかに理解可能であろう。
【課題を解決するための手段】
【０００８】
上記の技術的課題を達成するために、本発明の一態様による無線通信システムにおいて、端末が下りリンク制御情報を受信する方法は、各々が１ＲＢ(ｒｅｓｏｕｒｃｅ  ｂｌｏｃｋ)及び１ＯＦＤＭ(ｏｒｔｈｏｇｏｎａｌ  ｆｒｅｑｕｅｎｃｙ  ｄｉｖｉｓｉｏｎａｌ  ｍｕｌｔｉｐｌｅｘｉｎｇ)シンボルに該当するＲＥＧ(ｒｅｓｏｕｒｃｅ  ｅｌｅｍｅｎｔ  ｇｒｏｕｐ)に対するバンドリング(ｂｕｎｄｌｉｎｇ)情報を上位階層シグナリングを通じて受信する段階と、複数のＯＦＤＭシンボル上に設定された制御リソースセット(ＣＯＲＥＳＥＴ)内で下りリンク制御チャネル(ＰＤＣＣＨ)に対するブラインド検出を行う段階と、ブラインド検出されたＰＤＣＣＨから下りリンク制御情報(ＤＣＩ)を得る段階を含み、ＰＤＣＣＨに対するブラインド検出において、端末は、バンドリング情報が第１の値を指示すると、ＣＯＲＥＳＥＴ内で同一のＲＢ上に位置し、他のＯＦＤＭシンボルに該当するＲＥＧのみを１つのＲＥＧバンドルにバンドリングし、バンドリング情報が第２の値を指示すると、ＣＯＲＥＳＥＴ内で同一のＲＢ上に位置し、他のＯＦＤＭシンボルに該当するＲＥＧだけではなく他のＲＢ上に位置するＲＥＧを共に１つのＲＥＧバンドルにバンドリングし、ＲＥＧバンドリングの結果によって同一のＲＥＧバンドルに属するＲＥＧに対して同一のプリコーディングを仮定してＰＤＣＣＨに対するブラインド検出を行う。
【０００９】
上記の技術的課題を達成するために、本発明の他の態様による無線通信システムにおいて、基地局が下りリンク制御情報を送信する方法は、各々が１ＲＢ(ｒｅｓｏｕｒｃｅ  ｂｌｏｃｋ)及び１ＯＦＤＭ(ｏｒｔｈｏｇｏｎａｌ  ｆｒｅｑｕｅｎｃｙ  ｄｉｖｉｓｉｏｎａｌ  ｍｕｌｔｉｐｌｅｘｉｎｇ)シンボルに該当するＲＥＧ(ｒｅｓｏｕｒｃｅ  ｅｌｅｍｅｎｔ  ｇｒｏｕｐ)に対するバンドリング(ｂｕｎｄｌｉｎｇ)情報を上位階層シグナリングを通じて送信する段階と、複数のＯＦＤＭシンボル上に設定された制御リソースセット(ＣＯＲＥＳＥＴ)内で下りリンク制御チャネル(ＰＤＣＣＨ)を通じて下りリンク制御情報(ＤＣＩ)を送信する段階を含み、ＤＣＩの送信において、基地局は、バンドリング情報が第１の値を指示すると、ＣＯＲＥＳＥＴ内で同一のＲＢ上に位置し、他のＯＦＤＭシンボルに該当するＲＥＧのみを１つのＲＥＧバンドルにバンドリングし、バンドリング情報が第２の値を指示すると、ＣＯＲＥＳＥＴ内で同一のＲＢ上に位置し、他のＯＦＤＭシンボルに該当するＲＥＧだけではなく他のＲＢ上に位置するＲＥＧを共に１つのＲＥＧバンドルにバンドリングし、ＲＥＧバンドリングの結果によって同一のＲＥＧバンドルに属するＲＥＧに対して同一のプリコーディングを適用してＤＣＩを送信する。
【００１０】
上記の技術的課題を達成するために、本発明のさらに他の態様により下りリンク制御情報を受信する端末は、受信器と、受信器を用いて各々が１ＲＢ(ｒｅｓｏｕｒｃｅ  ｂｌｏｃｋ)及び１ＯＦＤＭ(ｏｒｔｈｏｇｏｎａｌ  ｆｒｅｑｕｅｎｃｙ  ｄｉｖｉｓｉｏｎａｌ  ｍｕｌｔｉｐｌｅｘｉｎｇ)シンボルに該当するＲＥＧ(ｒｅｓｏｕｒｃｅ  ｅｌｅｍｅｎｔ  ｇｒｏｕｐ)に対するバンドリング(ｂｕｎｄｌｉｎｇ)情報を上位階層シグナリングを通じて受信し、複数のＯＦＤＭシンボル上に設定された制御リソースセット(ＣＯＲＥＳＥＴ)内で下りリンク制御チャネル(ＰＤＣＣＨ)に対するブラインド検出を行い、ブラインド検出されたＰＤＣＣＨから下りリンク制御情報(ＤＣＩ)を得るプロセッサを含み、ＰＤＣＣＨに対するブラインド検出において、プロセッサは、バンドリング情報が第１の値を指示すると、ＣＯＲＥＳＥＴ内で同一のＲＢ上に位置し、他のＯＦＤＭシンボルに該当するＲＥＧのみを１つのＲＥＧバンドルにバンドリングし、バンドリング情報が第２の値を指示すると、ＣＯＲＥＳＥＴ内で同一のＲＢ上に位置し、他のＯＦＤＭシンボルに該当するＲＥＧだけではなく他のＲＢ上に位置するＲＥＧを共に１つのＲＥＧバンドルにバンドリングし、ＲＥＧバンドリングの結果によって同一のＲＥＧバンドルに属するＲＥＧに対して同一のプリコーディングを仮定してＰＤＣＣＨに対するブラインド検出を行う。
【００１１】
上記の技術的課題を達成するために、本発明のさらに他の態様により下りリンク制御情報を送信する基地局は、送信器と、送信器を用いて各々が１ＲＢ(ｒｅｓｏｕｒｃｅ  ｂｌｏｃｋ)及び１ＯＦＤＭ(ｏｒｔｈｏｇｏｎａｌ  ｆｒｅｑｕｅｎｃｙ  ｄｉｖｉｓｉｏｎａｌ  ｍｕｌｔｉｐｌｅｘｉｎｇ)シンボルに該当するＲＥＧ(ｒｅｓｏｕｒｃｅ  ｅｌｅｍｅｎｔ  ｇｒｏｕｐ)に対するバンドリング(ｂｕｎｄｌｉｎｇ)情報を上位階層シグナリングを通じて送信し、複数のＯＦＤＭシンボル上に設定された制御リソースセット(ＣＯＲＥＳＥＴ)内で下りリンク制御チャネル(ＰＤＣＣＨ)を通じて下りリンク制御情報(ＤＣＩ)を送信するプロセッサを含み、ＤＣＩの送信において、プロセッサは、バンドリング情報が第１の値を指示すると、ＣＯＲＥＳＥＴ内で同一のＲＢ上に位置し、他のＯＦＤＭシンボルに該当するＲＥＧのみを１つのＲＥＧバンドルにバンドリングし、バンドリング情報が第２の値を指示すると、ＣＯＲＥＳＥＴ内で同一のＲＢ上に位置し、他のＯＦＤＭシンボルに該当するＲＥＧだけではなく他のＲＢ上に位置するＲＥＧを共に１つのＲＥＧバンドルにバンドリングし、ＲＥＧバンドリングの結果によって同一のＲＥＧバンドルに属するＲＥＧに対して同一のプリコーディングを適用してＤＣＩを送信する。
【００１２】
バンドリング情報が第１の値を指示する場合、１ＲＥＧバンドルのサイズがＣＯＲＥＳＥＴを構成する複数のＯＦＤＭシンボルの数と同一に設定される。
【００１３】
バンドリング情報が第２の値を指示する場合、１ＲＥＧバンドルのサイズは１ＣＣＥ(ｃｏｎｔｒｏｌ  ｃｈａｎｎｅｌ  ｅｌｅｍｅｎｔ)を構成するＲＥＧの数と同一に設定される。
【００１４】
ＣＯＲＥＳＥＴを含む１つ又は２つ以上のＣＯＲＥＳＥＴが端末に設定されることができる。１つ又は２つ以上のＣＯＲＥＳＥＴの各々にバンドリング情報及びＣＣＥ−ｔｏ−ＲＥＧマッピングタイプが指示される。
【００１５】
バンドリング情報は１ＲＥＧバンドルを構成するＲＥＧの数を示すバンドルサイズ情報を含む。
【００１６】
ＣＯＲＥＳＥＴのＣＣＥ−ｔｏ−ＲＥＧマッピングタイプは、局部(ｌｏｃａｌｉｚｅｄ)マッピングタイプとインターリービング(ｉｎｔｅｒｌｅａｖｅｄ)マッピングタイプのうち、インターリービングマッピングタイプに設定される。
【００１７】
ＣＣＥ−ｔｏ−ＲＥＧマッピングのためのインターリービングは、ＲＥＧバンドルインデックスを用いてＲＥＧバンドル単位で行われる。
【００１８】
ＣＣＥ−ｔｏ−ＲＥＧマッピングタイプによって支援されるバンドルのサイズが異なる。
【００１９】
バンドリング情報は、同一のＣＣＥ内に属するＲＥＧのバンドリングのためのイントラ(ｉｎｔｒａ)−ＣＣＥバンドルのサイズ情報、及び他のＣＣＥに属するＲＥＧのバンドリングためのインタ(ｉｎｔｅｒ)−ＣＣＥバンドルのサイズ情報のうち、いずれか１つを含む。バンドリング情報がインタ−ＣＣＥバンドルのサイズ情報を含む場合、端末は同一のインタ−ＣＣＥバンドルに属する他のＣＣＥのＲＥＧに対して同一のプリコーディングを仮定してＰＤＣＣＨのブラインド検出を行う。
【００２０】
バンドリング情報が第１の値を指示すると、端末は時間ドメインＲＥＧバンドリングを行い、バンドリング情報が第２の値を指示すると、端末は時間−周波数ドメインＲＥＧバンドリングを行う。
【００２１】
ＣＯＲＥＳＥＴを構成する複数のＯＦＤＭシンボルの数は２又は３である。
【００２２】
端末は、同一のＲＥＧバンドルに属するＲＥＧを通じて受信される参照信号に同一のプリコーディングが適用されたと仮定してＰＤＣＣＨに対する復調(ｄｅｍｏｄｕｌａｔｉｏｎ)を行う。
【発明の効果】
【００２３】
本発明によれば、端末がネットワークの指示に従って時間ドメインのバンドリング又は時間−周波数ドメインのバンドリングを行い、１ＲＥＧバンドルに属する複数のＲＥＧに対して同一のプリコーディングを仮定するので、下りリンク制御情報を運ぶＰＤＣＣＨに対する検出がより正確かつ効率的に行われる。
【００２４】
本発明で得られる効果は以上で言及した効果に制限されず、他の効果は下記の記載から明らかに理解可能であろう。
【図面の簡単な説明】
【００２５】
【図１】３ＧＰＰ  ＬＴＥ／ＬＴＥ−Ａシステムに用いられる物理チャネル及びこれらを用いた一般的な信号伝送方法を例示する図である。
【図２】本発明の一実施例によるＮＲ制御領域を示す図である。
【図３】本発明の一実施例による周波数ドメインのバンドリングを示す図である。
【図４】本発明の一実施例による時間ドメインのバンドリングのタイプを示す図である。
【図５】本発明の一実施例による時間ドメインのバンドリングのチャネル推定性能を示す図である。
【図６】本発明の一実施例によるバンドリングのオプションを示す図である。
【図７】本発明の一実施例によるＣＯＲＥＳＥＴとｓｕｂ−ＣＯＲＥＳＥＴを示す図である。
【図８】本発明の一実施例によるリソースインデックスを説明する図である。
【図９】本発明の一実施例による同一のプリコーディングパターンを指示する方法を説明する図である。
【図１０】本発明の一実施例によってＲＳ密度を調節するためのＲＳパターンを示す図である。
【図１１】本発明の一実施例によって互いに異なるＣＯＲＥＳＥＴ  Ｄｕｒａｔｉｏｎを有するＣＯＲＥＳＥＴが重畳した場合を示す図である。
【図１２】本発明の一実施例による下りリンク制御情報の送受信方法の流れを示す図である。
【図１３】本発明の一実施例による端末と基地局を示す図である。
【発明を実施するための形態】
【００２６】
以下の技術は、ＣＤＭＡ(ｃｏｄｅ  ｄｉｖｉｓｉｏｎ  ｍｕｌｔｉｐｌｅ  ａｃｃｅｓｓ)、ＦＤＭＡ(ｆｒｅｑｕｅｎｃｙ  ｄｉｖｉｓｉｏｎ  ｍｕｌｔｉｐｌｅ  ａｃｃｅｓｓ)、ＴＤＭＡ(ｔｉｍｅ  ｄｉｖｉｓｉｏｎ  ｍｕｌｔｉｐｌｅ  ａｃｃｅｓｓ)、ＯＦＤＭＡ(ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ)、ＳＣ−ＦＤＭＡ(ｓｉｎｇｌｅ  ｃａｒｒｉｅｒ  ｆｒｅｑｕｅｎｃｙ  ｄｉｖｉｓｉｏｎ  ｍｕｌｔｉｐｌｅ  ａｃｃｅｓｓ)などのような様々な無線接続システムに用いることができる。ＣＤＭＡは、ＵＴＲＡ(Ｕｎｉｖｅｒｓａｌ  Ｔｅｒｒｅｓｔｒｉａｌ  Ｒａｄｉｏ  Ａｃｃｅｓｓ)やＣＤＭＡ２０００のような無線技術(ｒａｄｉｏ  ｔｅｃｈｎｏｌｏｇｙ)によって具現することができる。ＴＤＭＡは、ＧＳＭ(Ｇｌｏｂａｌ  Ｓｙｓｔｅｍ  ｆｏｒ  Ｍｏｂｉｌｅ  ｃｏｍｍｕｎｉｃａｔｉｏｎｓ)／ＧＰＲＳ(Ｇｅｎｅｒａｌ  Ｐａｃｋｅｔ  Ｒａｄｉｏ  Ｓｅｒｖｉｃｅ)／ＥＤＧＥ(Ｅｎｈａｎｃｅｄ  Ｄａｔａ  Ｒａｔｅｓ  ｆｏｒ  ＧＳＭ  Ｅｖｏｌｕｔｉｏｎ)のような無線技術によって具現することができる。ＯＦＤＭＡは、ＩＥＥＥ ８０２。１１(Ｗｉ−Ｆｉ)、ＩＥＥＥ ８０２。１６(ＷｉＭＡＸ)、ＩＥＥＥ ８０２−２０、Ｅ−ＵＴＲＡ(Ｅｖｏｌｖｅｄ  ＵＴＲＡ)などのような無線技術によって具現することができる。ＵＴＲＡは、ＵＭＴＳ(Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ)の一部である。３ＧＰＰ(３ｒｄ  Ｇｅｎｅｒａｔｉｏｎ  Ｐａｒｔｎｅｒｓｈｉｐ  Ｐｒｏｊｅｃｔ)ＬＴＥ(ｌｏｎｇ  ｔｅｒｍ  ｅｖｏｌｕｔｉｏｎ)は、Ｅ−ＵＴＲＡを用いるＥ−ＵＭＴＳ(Ｅｖｏｌｖｅｄ  ＵＭＴＳ)の一部であり、下りリンクでＯＦＤＭＡを採用し、上りリンクでＳＣ−ＦＤＭＡを採用する。ＬＴＥ−Ａ(Ａｄｖａｎｃｅｄ)は、３ＧＰＰ ＬＴＥの進化したバージョンである。
【００２７】
説明を明確にするために、３ＧＰＰ ＬＴＥ／ＬＴＥ−Ａを中心に記述するが、本発明の技術的思想がこれに制限されるわけではない。また、以下の説明で使われる特定用語は、本発明の理解を助けるために提供されるものであり、このような特定用語の使用は、本発明の技術的思想から逸脱しない範囲で他の形態に変更することもできる。
【００２８】
多数の通信機器がより大きな通信容量を要求することにより、最近論議されている次世代通信システムでは、既存の無線接続技術(ｒａｄｉｏ  ａｃｃｅｓｓ  ｔｅｃｈｎｏｌｏｇｙ、ＲＡＴ)に比べて向上したモバイルブロードバンド(ｅｎｈａｎｃｅｄ  Ｍｏｂｉｌｅ  Ｂｒｏａｄｂａｎｄ、ｅＭＢＢ)通信の必要性が高まっている。また多数の機器及び物事を連結していつでもどこでも多様なサービスを提供する大規模ＭＴＣ(ｍａｓｓｉｖｅ  Ｍａｃｈｉｎｅ  Ｔｙｐｅ  Ｃｏｍｍｕｎｉｃａｔｉｏｎｓ、ｍＭＴＣ)も次世代通信において考慮すべき主要なイッシュである。信頼性及び遅延などに敏感なサービス／ＵＥを考慮して、次世代通信システムとしてＵＲＬＬＣ(Ｕｌｔｒａ−Ｒｅｌｉａｌｂｅ  ａｎｄ  Ｌｏｗ  Ｌａｔｅｎｃｙ  Ｃｏｍｍｕｎｉｃａｔｉｏｎ)が論議されている。
【００２９】
このようにｅＭＢＢ、ｍＭＴＣ及びＵＲＬＣＣなどを考慮した新しい無線接続技術(Ｎｅｗ  ＲＡＴ)が次世代無線通信のために論議されている。
【００３０】
Ｎｅｗ  ＲＡＴの設計とかち合わないＬＴＥ／ＬＴＥ−Ａの動作及び設定はＮｅｗ  ＲＡＴにも適用することができる。Ｎｅｗ  ＲＡＴは便宜上５Ｇ移動通信とも称する。
【００３１】
＜ＮＲフレーム構造及び物理リソース＞
【００３２】
ＮＲシステムにおいて、下りリンク(ＤＬ)及び上りリンク(ＵＬ)の伝送は１０ｍｓ長さ(ｄｕｒａｔｉｏｎ)を有するフレームを介して行われ、各々のフレームは１０つのサブフレームを含む。従って１サブフレームは１ｍｓに該当する。各々のフレームは２つのハーフフレーム(ｈａｌｆ−ｆｒａｍｅ)に分けられる。
【００３３】
１つのサブフレームは、Nsymbsubframe,μ＝ Nsymbslot X Nslotsubframe,μ個の連続したＯＦＤＭシンボルを含む。Nsymbslotはスロット当たりのシンボル数、μはＯＦＤＭニューマロロジー(ｎｕｍｅｒｏｌｏｇｙ)を表し、Nslotsubframe,μは該当μに対してサブフレーム当たりのスロット数を表す。ＮＲでは表１のような多重ＯＦＤＭニューマロロジーが支援される。
【００３４】
【表１】
2020518138.tif 000003
【００３５】
表１において、Δfはサブキャリア間隔(ｓｕｂｃａｒｒｉｅｒ  ｓｐａｃｉｎｇ、ＳＣＳ)を意味する。ＤＬキャリアＢＷＰ(ｂａｎｄｗｉｄｔｈ  ｐａｒｔ)に対するμ及びＣＰ(ｃｙｃｌｉｃ  ｐｒｅｆｉｘ)とＵＬキャリアＢＷＰに対するμ及びＣＰは、上りリンクシグナリングにより端末に設定される。
【００３６】
表２は、一般ＣＰの場合、各々のＳＣＳに対するスロット当たりのシンボル数(Nsymbslot)、フレーム当たりのスロット数(Nslotframe,μ)及びサブフレーム当たりのスロット数(Nslotsubframe,μ)を表す。
【００３７】
【表２】
2020518138.tif 000004
【００３８】
表３は、拡大ＣＰの場合、各々のＳＣＳに対するスロット当たりのシンボル数(Nsymbslot)、フレーム当たりのスロット数(Nslotframe,μ)及びサブフレーム当たりのスロット数(Nslotsubframe,μ)を表す。
【００３９】
【表３】
2020518138.tif 000005
【００４０】
このようにＮＲシステムではＳＣＳ(ｓｕｂｃａｒｒｉｅｒ  ｓｐａｃｉｎｇ)によって１サブフレームを構成するスロット数を変更できる。各々のスロットに含まれたＯＦＤＭシンボルはＤ(ＤＬ)、Ｕ(ＵＬ)及びＸ(Ｆｌｅｘｉｂｌｅ)のうちいずれかである。ＤＬ送信はＤ又はＸシンボルで行われ、ＵＬ送信はＵ又はＸシンボルで行われる。なお、Ｆｌｅｘｉｂｌｅリソース(ｅ.ｇ.，Ｘシンボル)はＲｅｓｅｒｖｅｄリソース、Ｏｔｈｅｒリソース又はＵｎｋｎｏｗｎリソースとも称される。
【００４１】
ＮＲにおいて、１つのＲＢ(ｒｅｓｏｕｒｃｅ  ｂｌｏｃｋ)は周波数ドメインで１２つのサブキャリアに該当する。ＲＢは多数のＯＦＤＭシンボルを含むことができる。ＲＥ(ｒｅｓｏｕｒｃｅ  ｅｌｅｍｅｎｔ)は１サブキャリア及び１ＯＦＤＭシンボルに該当する。従って、１ＲＢ内の１ＯＦＤＭシンボル上には１２ＲＥが存在する。
【００４２】
キャリアＢＷＰは連続するＰＲＢ(Ｐｈｙｓｉｃａｌ  ｒｅｓｏｕｒｃｅ  ｂｌｏｃｋ)のセットで定義される。キャリアＢＷＰは簡略にＢＷＰとも称される。１つのＵＥには最大４つのＢＷＰが上りリンク／下りリンクの各々に対して設定される。多重のＢＷＰが設定されても、与えられた時間の間には１つのＢＷＰが活性化される。但し、端末にＳＵＬ(ｓｕｐｐｌｅｍｅｎｔａｒｙ  ｕｐｌｉｎｋ)が設定された場合、さらに４つのＢＷＰがＳＵＬに対して設定され、与えられた時間の間に１つのＢＷＰが活性化される。端末は活性化されたＤＬ  ＢＷＰから外れると、ＰＤＳＣＨ、ＰＤＣＣＨ、ＣＳＩ−ＲＳ(ｃｈａｎｎｅｌ  ｓｔａｔｅ  ｉｎｆｏｒｍａｔｉｏｎ−ｒｅｆｅｒｅｎｃｅ  ｓｉｇｎａｌ)又はＴＲＳ(ｔｒａｃｋｉｎｇ  ｒｅｆｅｒｅｎｃｅ  ｓｉｇｎａｌ)を受信できない。また端末は活性化されたＵＬ  ＢＷＰから外れると、ＰＵＳＣＨ又はＰＵＣＣＨを受信できない。
【００４３】
＜ＮＲ  ＤＬ  Ｃｏｎｔｒｏｌ  Ｃｈａｎｎｅｌ＞
【００４４】
ＮＲシステムにおいて、制御チャネルの伝送単位はＲＥＧ(ｒｅｓｏｕｒｃｅ  ｅｌｅｍｅｎｔ  ｇｒｏｕｐ)及び／又はＣＣＥ(ｃｏｎｔｒｏｌ  ｃｈａｎｎｅｌ  ｅｌｅｍｅｎｔ)などで定義される。ＣＣＥは制御チャネル伝送のための最小単位を意味する。即ち、最小ＰＤＣＣＨのサイズは１ＣＣＥに対応する。集合レベルが２以上である場合、ネットワークは多数のＣＣＥを集めて１つのＰＤＣＣＨを伝送することができる(ｉ．ｅ.，ＣＣＥ  ａｇｇｒｅｇａｔｉｏｎ)。
【００４５】
ＲＥＧは、時間ドメインでは１ＯＦＤＭシンボル、周波数ドメインでは１ＰＲＢに該当する。１ＣＣＥは６ＲＥＧに該当する。
【００４６】
なお、制御リソースセット(ｃｏｎｔｒｏｌ  ｒｅｓｏｕｒｃｅ  ｓｅｔ、ＣＯＲＥＳＥＴ)及び探索空間(ｓｅａｒｃｈ  ｓｐａｃｅ、ＳＳ)について簡略に説明すると、ＣＯＲＥＳＥＴは制御信号送信のためのリソースのセットであり、探索空間は端末がブラインド検出を行う制御チャネル候補の集まりである。探索空間はＣＯＲＥＳＥＴ上に設定されることができる。一例として、１つのＣＯＲＥＳＥＴに１つの探索空間が定義されると、ＣＳＳ(ｃｏｍｍｏｎ  ｓｅａｒｃｈ  ｓｐａｃｅ)のためのＣＯＲＥＳＥＴとＵＳＳ(ＵＥ−ｓｐｅｃｉｆｉｃ  ｓｅａｒｃｈ  ｓｐａｃｅ)のためのＣＯＲＥＳＥＴが各々設定される。他の例として、１つのＣＯＲＥＳＥＴに多数の探索空間が定義されることもできる。例えば、ＣＳＳとＵＳＳが同じＣＯＲＥＳＥＴに設定されることができる。以下の例示においては、ＣＳＳはＣＳＳが設定されるＣＯＲＥＳＥＴを意味し、ＵＳＳはＵＳＳが設定されるＣＯＲＥＳＥＴなどを意味することもできる。
【００４７】
基地局はＣＯＲＥＳＥＴに関する情報を端末にシグナリングすることができる。例えば、各々のＣＯＲＥＳＥＴのためにＣＯＲＥＳＥＴ  Ｃｏｎｆｉｇｕｒａｔｉｏｎが端末にシグナリングされ、ＣＯＲＥＳＥＴ  Ｃｏｎｆｉｇｕｒａｔｉｏｎには該当ＣＯＲＥＳＥＴの時間長さ(ｔｉｍｅ  ｄｕｒａｔｉｏｎ)(ｅ.ｇ.，１／２／３シンボルなど)などがシグナリングされる。ＣＯＲＥＳＥＴ  Ｃｏｎｆｉｇｕｒａｔｉｏｎに含まれる情報の詳しい内容は後述する。
【００４８】
＜ＢＵＮＤＬＩＮＧ  ＦＯＲ  ＮＲ−ＰＤＣＣＨ＞
【００４９】
ＮＲシステムにおけるリソースのバンドリング(ｂｕｎｄｌｉｎｇ)を説明する前に、既存のＬＴＥシステムにおけるＰＲＢ(ｐｈｙｓｉｃａｌ  ｒｅｓｏｕｒｃｅ  ｂｌｏｃｋ)のバンドリングについて簡略に説明する。ＬＴＥシステムにおいてＣＲＳ(Ｃｅｌｌ  ｓｐｅｃｉｆｉｃ  ＲＳ)より密度が低いＤＭＲＳが使用される場合、データ送信のために使用可能なリソースは増加するが、チャネル推定のために使用可能なＲＳの数が減少して、これによりチャネル推定性能が低下する。よって、ＤＭＲＳの使用時にチャネル推定性能が低下することを最小化するために、ＬＴＥシステムにおいてＰＲＢのバンドリングが導入される。例えば、ＤＭＲＳが使用される送信モードにおいてチャネル推定性能を保障するために同一のプリコーディングが適用される区間がＰＲＢバンドルと定義され、該当区間内では端末が互いに異なるＰＲＢに属したＲＳを使用してチャネル推定を行うことができる。例えば、ＰＲＢ１にマッピングされるＤＭＲＳ１だけではなく、ＰＲＢ２にマッピングされるＤＭＲＳ２がＰＲＢ１にマッピングされたデータの復調のためのチャネル推定に使用される。このようなＰＲＢバンドル単位のチャネル推定が有効になるためにはＤＭＲＳ１とＤＭＲＳ２に同一のプリコーディングが適用されなければならない。
【００５０】
なお、ＮＲにおいては、システムの柔軟性を増加させるために、Ｃｏｍｍｏｎ  ＲＳの使用を減らすことが論議されている。Ｃｏｍｍｏｎ  ＲＳはセル共通に送信されるＲＳであって、個々の端末はＯｎ／ＯｆｆできないＡｌｗａｙｓ  ｏｎ  ＲＳを意味する。例えば、ＬＴＥシステムのＣＲＳ(Ｃｅｌｌ−ｓｐｅｃｉｆｉｃ  ＲＳ)はＣｏｍｍｏｎ  ＲＳの一例である。
【００５１】
Ｃｏｍｍｏｎ  ＲＳの低減設計はＮＲの制御チャネル(ｅ．ｇ．，ＰＤＣＣＨ)にも適用されるので、制御チャネルに対するチャネル推定性能を向上させるためには互いに異なる制御チャネルリソースの間にバンドリングされることが好ましい。
【００５２】
以下では、１ＲＥＧ＝１ＰＲＢ＆１ＯＦＤＭシンボル、１ＣＣＥ＝６ＲＥＧｓと仮定するが、本発明はこれに限られず、様々なリソース単位、例えば、ＲＥＧ、ＣＣＥ、ＰＤＣＣＨ候補などが他の方式で構成された場合にも適用できる。ＲＥＧを定義する他の例として、１ＲＥＧは周波数ドメインにおいて連続する１２ＲＥｓ(ｒｅｓｏｕｒｃｅ  ｅｌｅｍｅｎｔｓ)に該当することができ、該当ＲＥＧ内にＲＳが含まれているか否か、及び／又はｒｅｓｅｒｖｅｄリソースがあるか否かによって制御情報伝送に使用されるＲＥの数が可変する。
【００５３】
以下の説明において、ＲＳは、制御チャネルの復調(ｄｅｍｏｄｕｌａｔｉｏｎ)のためのＲＳ、位置決定(ｐｏｓｉｔｉｏｎｉｎｇ)のためのＲＳ、ＣＳＩフィードバックのためのＣＳＩ−ＲＳ、干渉測定リソース(ＩＭＲ)、Ｃｅｌｌ−ｓｐｅｃｉｆｉｃ  Ｔｒａｃｋｉｎｇ  ＲＳ(ｅ．ｇ．，ｐｈａｓｅ  ｔｒａｃｋｉｎｇ)、ＲＬＭ(ｒａｄｉｏ  ｌｉｎｋ  ｍｏｎｉｔｏｒｉｎｇ)−ＲＳ及び／又はＲＲＭ(ｒａｄｉｏ  ｒｅｓｏｕｒｃｅ  ｍａｎａｇｅｍｅｎｔ)−ＲＳなどを含み、便宜上、主に制御チャネル復調のためのＲＳを中心として説明する。
【００５４】
図２は本発明の一実施例によるＮＲ制御領域を示す図である。 
【００５５】
ＣＯＲＥＳＥＴはＲＥＧ／ＣＣＥインデックスが行われる領域に該当する。１ＵＥには１つ又は多数のＣＯＲＥＳＥＴがネットワークから設定される。多数のＣＯＲＥＳＥＴが１ＵＥに設定される場合、各々のＣＯＲＥＳＥＴは異なる属性(ｐｒｏｐｅｒｔｙ)を有することができる。例えば、各々のＣＯＲＥＳＥＴごとにＣＣＥ−ｔｏ−ＲＥＧマッピングタイプ、ＰＤＣＣＨ−ｔｏ−ＣＣＥマッピングタイプ及び／又はＲＳ設定などが上位階層シグナリング(ｅ．ｇ．，ＣＯＲＥＳＥＴ  Ｃｏｎｆｉｇｕｒａｔｉｏｎ)を通じて定義される。
【００５６】
図２には時間ドメインにおけるＣＯＲＥＳＥＴ  Ｄｕｒａｔｉｏｎのみが示されているが、周波数ドメインにおいてもＣＯＲＥＳＥＴの範囲が設定される。
【００５７】
ＮＲ制御チャネルではＲＥＧ  ｌｅｖｅｌのバンドリングを適用できる。ＲＥＧ  ｌｅｖｅｌのバンドリングが適用される場合、同一のバンドル(ｂｕｎｄｌｅ)に属した互いに異なるＲＥＧに同一のプリコーディングが適用される。
【００５８】
同一のバンドルに属する互いに異なるＲＥＧが１ＣＣＥに属する場合、このようなＲＥＧバンドリングはＩｎｔｒａ−ＣＣＥ  ＲＥＧバンドリングと定義される。同一のバンドルに属する互いに異なるＲＥＧが互いに異なるＣＣＥに属する場合、このようなＲＥＧバンドリングはＩｎｔｅｒ−ＣＣＥバンドリングと定義される。
【００５９】
以下、ＮＲ制御チャネルに対してバンドリングを行う方法を提案する。以下の例示では、１ＣＣＥ＝６ＲＥＧｓと仮定したが、１ＣＣＥ当たりのＲＥＧの数が異なる場合にも本発明を適用できる。
【００６０】
ＮＲ制御チャネルにおいて、ＲＥＧバンドリングは周波数ドメイン及び／又は時間ドメインで定義されることができる。以下、各々のドメインにおいてバンドリングのための端末と基地局の動作方式について説明する。
【００６１】
Ｆｒｅｑｕｅｎｃｙ  Ｄｏｍａｉｎ  Ｂｕｎｄｌｉｎｇ
【００６２】
ネットワークの側面において周波数ドメインＲＥＧバンドリングは、同一のｔｉｍｅ  ｉｎｓｔａｎｃｅ上の互いに異なるＲＥＧに同一のプリコーディングを適用する。端末は同一のバンドルに属する互いに異なるＲＥＧ上のＲＳを用いてチャネル推定を行うので、チャネル推定性能が向上される。
【００６３】
図３は周波数ドメインのバンドリングの一例を示す図である。
【００６４】
Ｒは参照信号(ｒｅｆｅｒｅｎｃｅ  ｓｉｇｎａｌ)が伝送されるＲＥ、Ｄは制御情報が伝送されるＲＥを示し、Ｘは他のアンテナポートのＲＳが伝送されるＲＥを意味する。
【００６５】
バンドルのサイズ(ｂｕｎｄｌｅ  ｓｉｚｅ)が１ＲＥＧである場合(ｉ．ｅ．,ＲＥＧバンドリングが適用されない場合)、制御情報が伝送される各々のＲＥに対するチャネル推定は該当ＲＥＧ内のＲＳを用いて行われる。バンドルのサイズが２ＲＥＧｓである場合、制御情報が伝送される各々のＲＥに対するチャネル推定はバンドルのサイズ内に存在する全てのＲＳ(ｓ)を用いて行われる。
【００６６】
従って、バンドルのサイズが１ＲＥＧより大きい場合、端末はより多いＲＳ(ｓ)を用いてチャネル推定を行うので、チャネル推定性能が向上される。
【００６７】
周波数ドメインのバンドリングの場合、バンドリングが行われるＣＯＲＥＳＥＴのリソースマッピングタイプによってバンドリングのサイズが異なるように設定されることが好ましい。例えば、ＣＯＲＥＳＥＴ  Ｃｏｎｆｉｇｕｒａｔｉｏｎを通じて指示されたＣＣＥ−ｔｏ−ＲＥＧマッピング方式が分散(ｄｉｓｔｒｉｂｕｔｅｄ)マッピング(ｅ．ｇ．，インターリービング)である場合、チャネル推定性能(ｐｅｒｆｏｒｍａｎｃｅ)と周波数ダイバーシティーの利得(ｆｒｅｑｕｅｎｃｙ  ｄｉｖｅｒｓｉｔｙ  ｇａｉｎ)を全て考慮してバンドルのサイズを決定する。チャネル推定性能より周波数ダイバーシティーの利得が全体性能を決定する場合は、チャネル推定性能の向上のためのバンドリングを行わないか又はバンドルのサイズを小さく維持すること(ｅ．ｇ．，２ＲＥＧｓ)が好ましい。反面、周波数ダイバーシティーの利得よりチャネル推定性能が重要な場合には、バンドルのサイズを大きく設定(ｅ．ｇ．，３ＲＥＧｓ)してチャネル推定性能を向上させることが好ましい。
【００６８】
このように様々なチャネル環境に適応的に対応するために、ネットワークが特定のリソース領域(ｅ．ｇ．，ＣＯＲＥＳＥＴ)ごとにバンドルのサイズを設定することができる。一例として、各々のＣＯＲＥＳＥＴごとにＲＥＧバンドルのサイズが上位階層シグナリング(ｅ．ｇ．，ＣＯＲＥＳＥＴ  Ｃｏｎｆｉｇｕｒａｔｉｏｎ)などを通じて端末に指示されることができる。
【００６９】
なお、局部(ｌｏｃａｌｉｚｅｄ)マッピングの場合、大きいバンドルのサイズ(ｅ．ｇ．，最大ＲＥＧバンドルのサイズ)を支援することが好ましい。局部マッピングのバンドルのサイズは分散マッピングのバンドルのサイズより大きく設定される。
【００７０】
局部マッピングを使用することは、ネットワークと端末の間のチャネル情報などが比較的に正確であり、ネットワークが端末に適したプリコーディングを適用することを意味する。この場合、ネットワークはＣＣＥを構成する全てのＲＥＧを周波数ドメインにおいて隣接して配置し、ＲＥＧに同一のプリコーディングを適用することができる。一例として、Ｎｏｎ−Ｉｎｔｅｒｌｅａｖｅｄ  (ｉ．ｅ．ｌｏｃａｌｉｚｅｄ)ＣＣＥ−ｔｏ−ＲＥＧマッピングの場合、１ＣＣＥがＲＥＧバンドルに該当する。即ち、局部マッピングの時、ＲＥＧバンドルのサイズが１ＣＣＥ(ｉ．ｅ．,６ＲＥＧｓ)に固定されることができる。
【００７１】
本発明の一実施例によれば、周波数ドメインのバンドリングに対して、ネットワークがリソースマッピングタイプ(ｉ．ｅ．,ＲＥＧ−ｔｏ−ＣＣＥマッピングタイプ)によって互いに異なるバンドルのサイズをシグナリングすることが提案される。支援されるバンドルのサイズはＲＥＧ−ｔｏ−ＣＣＥマッピングタイプによって決定される。一例として、局部マッピングではＲＥＧバンドルのサイズが６−ＲＥＧに固定され、分散マッピング(ｅ．ｇ．，インターリービング)ではネットワークが上位階層シグナリング(ｅ．ｇ．，ＣＯＲＥＳＥＴ  Ｃｏｎｆｉｇｕｒａｔｉｏｎ)を通じてＲＥＧバンドルのサイズを端末に設定することができる。
【００７２】
ネットワークがリソースマッピングタイプによって互いに異なるバンドルのサイズをシグナリングすることは、各々のリソースマッピングタイプ(ｅ．ｇ．，局部／分散マッピング)ごとにバンドルのサイズの最大値を異なるように設定することを意味する。一例として、バンドルのサイズをシグナリングするビットの数が局部／分散マッピングの全てに対して同一である場合(ｅ．ｇ．，可能なバンドルのサイズの数がリソースマッピングタイプに関係なく一定である場合)、リソースマッピング方式によって該当ビット値が意味するバンドルのサイズが異なるように定義される。例えば、１ビットのバンドルサイズが指示されたと仮定した時、分散マッピングでは１ビット＝０／１がバンドルのサイズ＝２／３ＲＥＧｓを示し、局部マッピングでは１ビット＝０／１がバンドルのサイズ＝３／６ＲＥＧｓを示す。
【００７３】
また、Ｉｎｔｅｒ−ＣＣＥバンドリングのために、さらに他のバンドルのサイズが定義されることもできる。例えば、前述したバンドルのサイズはＩｎｔｒａ−ＣＣＥバンドルのサイズを意味し、Ｉｎｔｒａ−ＣＣＥバンドルのサイズとは別個にＩｎｔｅｒ−ＣＣＥバンドリングのためにさらに最大バンドルのサイズが定義される。互いに異なるＣＣＥに属するＲＥＧが互いに隣接して位置する場合、ネットワークは最大バンドルのサイズ内に位置するＲＥＧに対して周波数ドメインのバンドリングを行うことができる。このようにＩｎｔｅｒ−ＣＣＥバンドリングに対する最大バンドリングのサイズはＩｎｔｅｒ−ＣＣＥバンドリングが許容可能なＲＥＧ間の距離を意味する。一例として、最大バンドリングのサイズは周波数ドメイン上で定義されることができる。他の例として、最大バンドリングのサイズは周波数ドメイン及び／又は時間ドメイン上で定義されることができる。
【００７４】
Ｉｎｔｒａ−ＣＣＥバンドリングのための第１バンドルのサイズとＩｎｔｅｒ−ＣＣＥバンドリングのための第２バンドルのサイズは独立にシグナリングされることができる。ネットワーク／端末はＩｎｔｒａ−ＣＣＥバンドリングにおける第１バンドルのサイズなどに基づいてＲＥＧインデックス／ＣＣＥインデックスなどを行い、ＣＣＥ  Ａｇｇｒｅｇａｔｉｏｎ以後の第２バンドルのサイズ内の互いに異なるＣＣＥに属するＲＥＧについてＩｎｔｅｒ−ＣＣＥバンドリングを行うことができる。Ｉｎｔｅｒ−ＣＣＥバンドリングのための第２バンドルのサイズは所定の個数のＩｎｔｒａ−ＣＣＥ  ＲＥＧバンドル(ｓ)を含むための値に設定される。例えば、第２バンドルのサイズは第１バンドルのサイズの定数倍に決定される。例えば、Ｉｎｔｒａ−ＣＣＥバンドリングが２−ＲＥＧ単位に行われ(ｅ．ｇ．，第１バンドルのサイズ＝２−ＲＥＧ)、Ｉｎｔｅｒ−ＣＣＥバンドリングのための第２バンドルのサイズが４−ＲＥＧに設定されると、端末は互いに異なるＣＣＥに属する２つのＩｎｔｒａ−ＣＣＥ  ＲＥＧ  Ｂｕｎｄｌｅ(ｉ．ｅ．,総４個のＲＥＧｓ)に対して同一のプリコーディングを仮定してチャネル推定を行うことができる。
【００７５】
また端末はデータ(ｅ．ｇ．，ＰＤＳＣＨ)領域に設定されたＰＲＢバンドルのサイズが制御チャネルにも適用されると仮定する。このような仮定は該当バンドルのサイズ内に存在するＲＥＧが連続的又は非連続的である全ての場合に適用でき、Ｉｎｔｒａ−ＣＣＥ及び／又はＩｎｔｅｒ−ＣＣＥにも適用できる。
【００７６】
一例として、局部マッピングによって６−ＲＥＧが１ＣＣＥにマッピングされ、ＰＤＳＣＨに対して４−ＲＢが１バンドルを構成すると仮定する時、Ｉｎｔｒａ−ＣＣＥ  ＲＥＧバンドルのサイズ或いはＩｎｔｅｒ−ＣＣＥバンドルのサイズが４に設定されることができる。例えば、ＡＬ(Ａｇｇｒｅｇａｔｉｏｎ  Ｌｅｖｅｌ)−２制御チャネル候補のための２つのＣＣＥ(ｅ．ｇ．，ＣＣＥ＃０及びＣＣＥ＃１)が周波数ドメインにおいて連続する場合を仮定する時、[第１バンドル:ＣＣＥ＃０の４−ＲＥＧ]＋[第２バンドル:ＣＣＥ＃０の２−ＲＥＧ＆ＣＣＥ＃１の２−ＲＥＧ]＋[第３バンドル:ＣＣＥ＃１の４−ＲＥＧ]のようにＲＥＧバンドリングが行われる。
【００７７】
周波数ドメイン上のＲＥＧバンドルを適用するために、ＲＥＧバンドルが開始／終了される境界(ｂｏｕｎｄａｒｙ)を決定する必要がある。例えば、(ｉ)〜(ｖ)のようにＲＥＧバンドルの境界を決定できる。一方、(ｉ)又は(ｉｖ)の方式が使用される場合、端末に設定された帯域幅やＰＲＢの数はバンドルのサイズの倍数に設定されることが好ましい。
【００７８】
(ｉ)  端末が設定されたＣＯＲＥＳＥＴ内で最低周波数(ｅ．ｇ．，ｌｏｗｅｓｔ  ｓｕｂｃａｒｒｉｅｒ)からバンドルのサイズが適用されることができる。一例として、ＣＯＲＥＳＥＴごとにＲＥＧインデックス及び／又はＲＥＧバンドルインデックスが使用され、もしインターリービングが使用される場合は、ＲＥＧバンドル単位にインターリービングが行われる。もしバンドルのサイズ内に保留された(ｒｅｓｅｒｖｅｄ)リソースがあるか或いは端末に割り当てられないＰＲＢがある場合は、端末の実際のバンドルのサイズはネットワークから指示されたバンドルのサイズより小さいことができる。
【００７９】
(ii)  端末に設定された端末特定の帯域幅内で最低周波数からバンドルのサイズが適用されることができる。もしバンドルのサイズ内に保留されたリソースがあるか或いは端末に割り当てられないＰＲＢがある場合は、端末の実際のバンドルのサイズはネットワークから指示されたバンドルのサイズより小さいことができる。
【００８０】
(iii)  全体システム帯域幅内で最低周波数からバンドルのサイズが適用されることができる。もしバンドルのサイズ内に保留されたリソースがあるか或いは端末に割り当てられないＰＲＢがある場合は、端末の実際のバンドルのサイズはネットワークから指示されたバンドルのサイズより小さいことができる。
【００８１】
(ｉｖ)  ＲＥＧバンドルが適用される周波数領域が特に設定され、該当周波数領域の最低周波数からバンドルのサイズが適用されることができる。もしバンドルのサイズ内に保留されたリソースがあるか或いは端末に割り当てられないＰＲＢがある場合は、端末の実際のバンドルのサイズはネットワークから指示されたバンドルのサイズより小さいことができる。
【００８２】
(ｖ)  端末は制御チャネル候補の開始点をＲＥＧバンドリングが始まる位置と見なすこともできる。例えば、候補の開始ＣＣＥ又は開始ＲＥＧからバンドルのサイズが適用されることができる。端末は、バンドルのサイズ内に同一の候補に属する互いに異なるＲＥＧが存在する場合、該当ＲＥＧに同一のプリコーディングが適用されたと仮定する。候補に属したＲＥＧが他のグループに分散された場合、端末は各々のグループの開始点をバンドルの開始点と見なすことができる。
【００８３】
特定のリソース単位ごとにプリコーディングが循環的に変更されるプリコーダサイクリング(Ｐｒｅｃｏｄｅｒ  ｃｙｃｌｉｎｇ)方式が使用される場合、プリコーダサイクリングが適用されるリソース単位と同一のリソース単位にバンドリングが行われることができる。一例として、２つのプリコーダが連続したＲＥＧ上で循環適用されると仮定した時、偶数のインデックスＲＥＧがバンドリングされ、奇数のインデックスＲＥＧがバンドリングされることができる。これは、ＲＥＧグループ(ｅ．ｇ．，偶数のＲＥＧグループ／奇数のＲＥＧグループ)レベルのバンドリングとして理解できる。例えば、Ｐｒｅｃｏｄｅｒ１が適用されるＲＥＧは第１ＲＥＧグループバンドルに該当し、Ｐｒｅｃｏｄｅｒ２が適用されるＲＥＧは第２ＲＥＧグループバンドルに該当することができる。この場合、プリコーダサイクリングが使用されても端末は同一のバンドルが属したＲＥＧに対しては同一のプリコーディングを仮定することができる。
【００８４】
ＲＥＧバンドリングとプリコーダサイクリングが共に使用される場合、ＲＥＧバンドリングが必ず連続したＲＥＧに対して行われないこともできる。例えば、不連続なＲＥＧが同じＲＥＧバンドルに属することができる。この場合、端末にはＲＥＧバンドル或いはＲＢバンドルのサイズがネットワークから割り当てられ、割り当てられたＲＥＧ／ＲＢバンドルのサイズ内におけるプリコーダの数は１個或いは複数個である。また、端末にはＲＥＧ／ＲＢバンドルのサイズ内におけるプリコーダの数がネットワークから設定されることもできる。ＲＥＧ／ＲＢバンドルのサイズ内のプリコーダの数はプリコーダサイクリングが構成される方式によって異なる。
【００８５】
−プリコーダサイクリングをＲＥＧ／ＲＢバンドルのサイズに設定：  一例として、ネットワークが毎ＲＢ／ＲＥＧごとにプリコーダサイクリングを行う時(ｅ．ｇ．，ＲＢ／ＲＥＧ単位でプリコーダ変更)、バンドルのサイズを１に設定できる。
【００８６】
−プリコーダサイクリングの設定と共にＲＥＧバンドルを設定：  ネットワークはＲＥＧバンドルのサイズ及び各々のバンドル内で使用するプリコーダの数を端末に割り当てることができる。６−ＲＢバンドル内に２つのプリコーダが循環されると仮定する時、ネットワークは１ＲＥＧ／ＲＢ 単位でプリコーダサイクリングを行い、この時、３ＲＢが同一のプリコーダを共有することができる。
【００８７】
Ｔｉｍｅ−ｄｏｍａｉｎ  Ｂｕｎｄｌｉｎｇ
【００８８】
周波数ドメインのバンドリングと同様に、時間ドメインのバンドリングの場合にも、バンドルのサイズ内のＲＥＧに同一のプリコーディングが適用されることができる。
【００８９】
なお、同一のプリコーディングを適用する方法によって、時間ドメインのバンドリングが異なるように定義されることもできる。本発明の一実施例によれば、時間ドメインのバンドリングを以下のように２つのタイプで定義して、ネットワークは各々リソース領域(ｅ．ｇ．，ＣＯＲＥＳＥＴ、ｓｕｂ−ＣＯＲＥＳＥＴ)ごとにどのタイプの時間ドメインのバンドリングを使用するかをシグナリングすることができる。
【００９０】
(１)  時間ドメインのバンドリングタイプ１:  バンドル内の全てのＲＥＧでＲＳが伝送される場合
【００９１】
タイプ１のバンドリングは、チャネル推定性能を向上させるために使用される。チャネル推定性能の向上のために時間ドメインバンドルのサイズ内の各々のＲＥＧはいずれもＲＳを含むことができる。また、ＲＳの密度がＲＥＧごとに異なることができる。一例として、１ｓｔ  ＯＦＤＭ  ｓｙｍｂｏｌのＲＥＧにマッピングされるＲＳと、２ｎｄ  ＯＦＤＭ  ｓｙｍｂｏｌのＲＥＧにマッピングされるＲＳの密度が異なることができる。
【００９２】
タイプ１のバンドリングに対して行える端末動作の１つは、バンドル内の全てのＲＳを用いてチャネル推定を行うことである。例えば、端末が２Ｄ−ＭＭＳＥ(ｍｉｎｉｍｕｍ  ｍｅａｎ  ｓｑｕａｒｅ  ｅｒｒｏｒ)基盤のチャネル推定を通じて特定のデータＲＥに対するチャネル係数(ｃｏｅｆｆｉｃｉｅｎｔ)を求める時、端末は特定のデータＲＥが属するバンドル内の全てのＲＳを用いることができる。この場合、周波数ドメインのバンドリングと同様に、端末が多数のＲＳを用いてチャネル推定を行うことができるので、チャネル推定性能が向上される。 
【００９３】
タイプ１のバンドリングを行う端末の他の動作として、端末は各々のＲＥＧごとにチャネル推定を行い、バンドル内のＲＥＧのチャネル推定結果の平均を最終的なチャネル推定結果として使用することができる。この場合、バンドル内のＲＥＧがコヒーレント時間(ｃｏｈｅｒｅｎｔ  ｔｉｍｅ)内に存在してチャネルの変化がほぼない場合は、雑音が抑制(ｓｕｐｐｒｅｓｓｉｏｎ)される効果がある。
【００９４】
(２)  時間ドメインのバンドリングタイプ２:  バンドル内の一部ＲＥＧのみにＲＳが伝送(ｅ．ｇ．，ｆｒｏｎｔ−ｌｏａｄｅｄ  ＲＥＧにＲＳ)
【００９５】
タイプ２のバンドリングは、ＲＳオーバーヘッドを減して制御情報のコーディングの利得を得るための方法である。タイプ２のバンドリングを使用すると、ネットワークはバンドル内のＲＥＧのうち、一部ＲＥＧのみにＲＳを伝送し、ＲＳが伝送されないその他のＲＥＧではＲＳが省略されたＲＥ位置に制御情報をマッピングすることにより、制御情報のコーディングレートを低くすることができる。
【００９６】
タイプ２のバンドリングでは、端末がＲＳが伝送されるＲＥＧでチャネル推定を行い、チャネル推定結果をＲＳが伝送されないＲＥＧに対して再使用することができる。このようなチャネル推定結果の再使用は、同一のプリコーディングがバンドル内のＲＥＧに適用されるというＲＥＧバンドリングの定義に基づく。
【００９７】
図４は本発明の一実施例による時間ドメインのバンドリングのタイプ１／２を示す。ＲはＲＳが伝送されるＲＥを示し、Ｄは制御情報が伝送されるＲＥを示す。ＲＳ、ＲＥの両方に同一のアンテナポートのＲＳがマッピングされるか又は互いに異なるアンテナポートのＲＳがＦＤＭ／ＣＤＭ方式で多重化されてマッピングされることができる。 
【００９８】
上述したように、時間ドメインＲＥＧバンドリングはタイプ１／２で定義され、ネットワークはリソース領域ごとに異なるタイプの時間ドメインのバンドリングを適用／シグナリングすることができる。
【００９９】
さらに他の例として、特定の条件を満たす場合、特定タイプの時間ドメインのバンドリングが適用されることと予め定義することができる。
【０１００】
図５は本発明の一実施例による時間ドメインのバンドリングのチャネル推定性能を示す。図５に示したチャネル推定性能は集合レベル２の候補に対して分散マッピングが適用されることを仮定した結果であり、様々なＴＢＳ(Ｔｒａｎｓｐｏｒｔ  Ｂｌｏｃｋ  Ｓｉｚｅ)に対して各々のタイプの時間ドメインのバンドリングが適用された時の性能を示す。
【０１０１】
図５において、各々のタイプ及び各々のＴＢＳによるコーディングレートは、(Ｔｙｐｅ１,  ３６ｂｉｔｓ)＝０.１８７５、(Ｔｙｐｅ１,  ７６ｂｉｔｓ)＝０.３９５８、(Ｔｙｐｅ１,  １００ｂｉｔｓ)＝０.５２０８、(Ｔｙｐｅ２,  ３６ｂｉｔｓ)＝０.１５、(Ｔｙｐｅ２,  ７６ｂｉｔｓ)＝０.３１６７、(Ｔｙｐｅ２,  １００ｂｉｔｓ)＝０.４１６７である。
【０１０２】
各々のケースに対するコーディングレートと実験結果を比較すると、コーディングレートが高い場合にはタイプ２の時間バンドリングが適合し、コーディングレートが低い場合にはタイプ１の時間バンドリングが適合することが分かる。 
【０１０３】
即ち、コーディングレートが低い場合にはチャネル推定性能が全体性能に及ぼす影響が大きく、コーディングレートが高い場合にはコーディング利得が全体性能に及ぼす影響が大きいことを意味する。
【０１０４】
このような実験結果に基づいて、コーディングレートごとに(ｅ．ｇ．，集合レベルごと、ＤＣＩフォーマット、ペイロードサイズごと及び／又はｒｅｓｅｒｖｅｄ  リソースなどを考慮したコーディングレートごと)時間ドメインのバンドリングタイプを異なるように設定することが提案される。例えば、コーディングレート特定の時間バンドリングタイプが定義されることができる。ネットワークにより集合レベルごとに時間ドメインのバンドリングタイプが決定されるか、或いはＤＣＩフォーマット又はペイロードサイズごとに時間バンドリングタイプが定義されることができる。
【０１０５】
システムの柔軟性を向上させるために、ネットワーク／端末は時間ドメインのバンドリングが適用されるリソース領域内の候補を分けて時間バンドリングタイプに分配することができる。例えば、端末がＡＬ−１候補４個、ＡＬ−２候補４個、ＡＬ−４候補２個、ＡＬ−８候補２時に対するブラインドデコーディングを行う場合、端末は各々のＡＬの候補のうち、半分についてはタイプ１の時間バンドリングを仮定し、残りの半分の候補についてはタイプ２の時間バンドリングを仮定して、ブラインドデコーディングを行うことができる。このような端末動作のために、ネットワークは時間ドメインのバンドリングが行われるリソース領域においてタイプ１を仮定する候補とタイプ２を仮定する候補を上位階層シグナリングなどを通じて指示することができる。
【０１０６】
リソース領域(ｅ．ｇ．，ＣＯＲＥＳＥＴ)ごとに候補の集合レベルが異なるように設定された場合、集合レベルによって該当リソース領域の時間ドメインのバンドリングタイプが決定されることができる。例えば、ＣＯＲＥＳＥＴ０、ＣＯＲＥＳＥＴ１が端末に設定され、ＣＯＲＥＳＥＴ０にはＡＬ１,２に対する候補のみが存在し、ＣＯＲＥＳＥＴ１にはＡＬ４,８に対する候補のみが存在する場合、端末はＣＯＲＥＳＥＴ０に対してタイプ２の時間ドメインのバンドリングを仮定し、ＣＯＲＥＳＥＴ１に対してはタイプ１方式の時間ドメインのバンドリングを仮定してブラインドデコーディングを行うことができる。
【０１０７】
さらに時間バンドリングのタイプは端末の速度によって決定できる。時間ドメインにおける急激なチャネル変化についてタイプ１の時間ドメインのバンドリングがタイプ２に比べて剛健な特性を有するので、端末の速度、Ｄｏｐｐｌｅｒ周波数などに基づいて時間ドメインのバンドリングタイプが決定されることができる。このために、端末は周期的に(或いは非周期的に)速度、Ｄｏｐｐｌｅｒ周波数などをネットワークに報告することができる。 
【０１０８】
また、時間ドメインＲＥＧバンドリングと周波数ドメインＲＥＧバンドリングが同時に適用される場合、ＲＳ設定は時間ドメインＲＥＧバンドリングタイプにより決定される。周波数ドメインＲＥＧバンドリングのみが適用される場合、ＲＳは全てのＲＥＧで伝送されるか或いはネットワークによってＲＳが伝送されるＲＥＧが指定されることができる。
【０１０９】
Ｉｎｔｒａ−ＣＣＥ  Ｂｕｎｄｌｉｎｇ
【０１１０】
Ｉｎｔｒａ−ＣＣＥバンドリングは１ＣＣＥを構成するＲＥＧの間のバンドリングを意味し、Ｉｎｔｒａ−ＣＣＥバンドリングに上述した時間及び／又は周波数ドメインＲＥＧバンドリングが適用されることができる。
【０１１１】
ネットワークが特定のリソース領域(ｅ．ｇ．，ＣＯＲＥＳＥＴ)に対して、以下の(ｉ)〜(iii)オプションのうち、全部又はいずれか一つのオプションを上位階層シグナリングなどを通じて端末に指示するか、或いは予め定義することができる。例えば、ネットワークはＣＯＲＥＳＥＴ  Ｃｏｎｆｉｇｕｒａｔｉｏｎを通じて、(ｉ)〜(iii)のうちいずれか１つを端末にシグナリングすることができる。
【０１１２】
(ｉ)  時間ドメインＲＥＧバンドリングの適用有無及び／又はバンドルのサイズ：  事前定義或いはネットワークシグナリングなどによって特定のリソース領域において時間ドメインＲＥＧバンドリングが適用されるか否かを指示する情報及び／又はバンドルのサイズが送信されることができる。時間ドメインＲＥＧバンドリングが適用されるか否かを指示する情報は、バンドルのサイズをシグナリングすることに代替できる。
【０１１３】
(ii)  周波数ドメインＲＥＧバンドリングの適用有無及び／又はバンドルのサイズ:  事前定義或いはネットワークシグナリングなどによって特定のリソース領域において周波数ドメインＲＥＧバンドリングが適用されるか否かを指示する情報及び／又はバンドルのサイズが送信されることができる。周波数ドメインＲＥＧバンドリングが適用されるか否かを指示する情報は、バンドルのサイズをシグナリングすることに代替できる。
【０１１４】
(iii)  時間及び周波数ドメインＲＥＧバンドリングの適用有無及び／又はバンドルのサイズ：  時間ドメインＲＥＧバンドリング及び周波数ドメインＲＥＧバンドリングが同時に適用されることもできる。事前定義或いはネットワークシグナリングなどによって特定リソース領域において時間及び周波数ドメインＲＥＧバンドリングが適用されるか否かを指示する情報が送信されることができる。領域において時間及び周波数ドメインＲＥＧバンドリングが適用されるか否かを指示する情報は、各々のドメインに対するバンドルのサイズをシグナリングすることに代替できる。
【０１１５】
バンドルのサイズをシグナリングすることにより時間／周波数ドメインＲＥＧバンドリングが適用されるか否かを指示する情報を代替する方法についてより具体的に説明すると、ＲＥＧバンドルのサイズが２ＲＥＧ以上であると、ＲＥＧバンドリングが適用されたと解釈される。この時、適用されるＲＥＧバンドリングが時間ドメインのバンドリングに該当するか、周波数ドメインのバンドリングに該当するか、又は時間−周波数ドメインのバンドリングに該当するかは、バンドルのサイズを通じて判断できる。一例として、Ｄｕｒａｔｉｏｎが１シンボルである特定のリソース領域(ｅ．ｇ．，ＣＯＲＥＳＥＴ)に２以上のバンドルのサイズが設定された場合、周波数ドメインＲＥＧバンドリングが適用されたと解釈できる。Ｄｕｒａｔｉｏｎが２シンボルである特定のリソース領域(ｅ．ｇ．，ＣＯＲＥＳＥＴ)にバンドルのサイズが２である場合には、時間ドメインＲＥＧバンドリングが適用されたと解釈され、バンドルのサイズが３以上である場合(ｅ．ｇ．，バンドルのサイズ＝６)には、時間−周波数ドメインＲＥＧバンドリングが適用されたと解釈できる。Ｄｕｒａｔｉｏｎが３シンボルである特定のリソース領域(ｅ．ｇ．，ＣＯＲＥＳＥＴ)にバンドルのサイズが３である場合には、時間ドメインＲＥＧバンドリングが適用されたと解釈され、バンドルのサイズが４以上である場合(ｅ．ｇ．，バンドルのサイズ＝６)には時間−周波数ドメインＲＥＧバンドリングが適用されたと解釈できる。
【０１１６】
より一般化すると、ＣＯＲＥＳＥＴ  ＤｕｒａｔｉｏｎがＮ−シンボルであり(Ｎは２以上の定数)、バンドルのサイズがＭ−ＲＥＧであると仮定した時、Ｎ≦Ｍの場合、端末は該当ＣＯＲＥＳＥＴに時間ドメインのバンドリングが適用されたと判断し、Ｎ＞Ｍである場合は、端末は該当ＣＯＲＥＳＥＴに時間−周波数ドメインのバンドリングが適用されたと判断することができる。なお、ＣＯＲＥＳＥＴ  Ｄｕｒａｔｉｏｎが１シンボルである場合、ＲＥＧバンドリングは常に周波数ドメインのバンドリングを意味することができ、この時のバンドルのサイズは周波数ドメインのバンドリングのサイズで解釈できる。
【０１１７】
図６は本発明の一実施例によるバンドリングのオプションを示す。 
【０１１８】
図６を参照すると、(ａ)周波数バンドリング及び(ｂ)時間バンドリングは各々バンドルのサイズが３である場合を示している。(ｃ)時間−周波数バンドリングは時間ドメイン上においてバンドリングのサイズが３であり、周波数ドメイン上においてバンドリングのサイズが２である場合を示している。従って時間−周波数バンドリングでは６ＲＥＧｓが１つのＲＥＧバンドルを構成する。
【０１１９】
Ｉｎｔｒａ−ＣＣＥバンドリングの場合、バンドルのサイズがリソースインデックスの基本単位として使用されることができる。例えば、分散マッピングが使用されるＣＯＲＥＳＥＴにおいて時間ドメインＲＥＧバンドリングが適用される場合、ＣＯＲＥＳＥＴ  Ｄｕｒａｔｉｏｎ(ｉ．ｅ．,  時間ドメインでＣＯＲＥＳＥＴの長さ(ｓｙｍｂｏｌの数))をバンドルのサイズに代替し、バンドルインデックスを分散(或いはＩｎｔｅｒｌｅａｖｉｎｇ)の基本単位として使用することができる。例えば、ＣＯＲＥＳＥＴ  Ｄｕｒａｔｉｏｎと同一のサイズのＲＥＧバンドルのサイズが支援されることができる。またＲＥＧバンドル単位にインターリービングが行われることもできる。
【０１２０】
一例として、特定のＣＯＲＥＳＥＴが１００ＰＲＢｓ＆３ｓｙｍｂｏｌｓの組み合わせで構成され、特定のＣＯＲＥＳＥＴに時間ドメインＲＥＧバンドリングが適用されると、各々のＰＲＢが１つのバンドルを構成すると定義できる。例えば、周波数ドメイン上では同一の周波数リソース(ｉ．ｅ．,同一のＰＲＢ)に位置し、時間ドメインで連続する３つのＲＥＧが１つのＲＥＧバンドルに該当することができる。この場合、ネットワークは論理ドメイン(ｌｏｇｉｃａｌ  ｄｏｍａｉｎ)において０〜９９のバンドルインデックスをインターリービングして物理ドメイン(ｐｈｙｓｉｃａｌ  ｄｏｍａｉｎ)にマッピングすることができる。
【０１２１】
このような方式は周波数ドメインにも同様に適用できる。例えば、周波数ドメインＲＥＧバンドリングのためのバンドルのサイズが２ＲＥＧｓにシグナリングされる場合、端末は該当ＣＯＲＥＳＥＴ上でブラインド検出を行うにおいて、周波数ドメインにおいて連続した２つのＲＥＧが１つのバンドルを構成すると仮定してリソースマッピングなどを決定することができる。
【０１２２】
上述したように、時間ドメインＲＥＧバンドリングのサイズは、バンドリングが適用されるリソース領域(ｅ．ｇ．，ＣＯＲＥＳＥＴ)の時間ドメインＤｕｒａｔｉｏｎの約数に決定される。例えば、時間ドメインのバンドリングが適用されるリソース領域のＤｕｒａｔｉｏｎが１,２,３,４の４つのケースを仮定する時、各々のケースに対して加用な時間ドメインのバンドリングのサイズの組み合わせは、(１)、(１,２)、(１,３)、(１,２,４)である。即ち、リソース領域のＤｕｒａｔｉｏｎ  Ｎ＝１,２,３  ｓｙｍｂｏｌｓでる場合、時間ドメインＲＥＧバンドリングが適用されないか(ｉ．ｅ．,バンドリングのサイズ＝１)、又は時間ドメインＲＥＧバンドリングが適用されれば、そのバンドリングのサイズはリソース領域のＤｕｒａｔｉｏｎ  Ｎと同一に設定されると解釈できる。
【０１２３】
バンドリングのサイズをリソース領域のＤｕｒａｔｉｏｎの約数に設定することが好ましい理由は、もしバンドリングのサイズがリソース領域のＤｕｒａｔｉｏｎの約数に設定されないと、１バンドル内で互いに異なるＲＥＧが異なる周波数リソースを使用できるので、これを回避するためである。例えば、特定のＣＯＲＥＳＥＴに時間ドメインのバンドリングが適用され、バンドルのサイズ＝２ＲＥＧｓであり、ＣＯＲＥＳＥＴのＤｕｒａｔｉｏｎが３ｓｙｍｂｏｌである場合は、ＣＯＲＥＳＥＴに設定されたＢｕｎｄｌｅのうち、バンドル１及び３は互いに異なるＰＲＢにかけており、バンドル１及び３に対しては時間ドメインのバンドリングが不可能になる。
【０１２４】
本発明の他の例として、分散リソースマッピングの場合は、時間／周波数ドメインＲＥＧバンドリングのうち１つのみが適用されるものと定義できる。例えば、６つのＲＥＧで構成されたＣＣＥに時間／周波数ドメインＲＥＧバンドリングが全て適用され、時間ドメインバンドルのサイズは３であり、周波数ドメインのバンドルのサイズが２である場合を仮定する。この場合、周波数ダイバーシティーを得るための分散を容易に行えるように、ネットワークは１種類のドメインに対するＲＥＧバンドリングのみを行うことができる。
【０１２５】
局部リソースマッピングの場合、時間／周波数ドメインのバンドリングが全て適用されるか、或いは１つのドメインに対するバンドリングのみを行うようにネットワークにより設定／事前定義される。時間／周波数ドメインのバンドリングが全て行われる場合、２つのドメインにおけるバンドリングが全て適用された１つのバンドルが、リソースインデックスの基本単位として使用されることができる。
【０１２６】
以上の提案において、リソース領域はＣＯＲＥＳＥＴであるか、或いはＣＯＲＥＳＥＴ内に含まれたｓｕｂ−ＣＯＲＥＳＥＴである。複数のｓｕｂ−ＣＯＲＥＳＥＴの間は時間ドメインにおいて区分できる。
【０１２７】
図７は本発明の一実施例によるＣＯＲＥＳＥＴとｓｕｂ−ＣＯＲＥＳＥＴを示す。
【０１２８】
図７の(ｂ)において、ｓｕｂ−ＣＯＲＥＳＥＴ０では時間ドメインＲＥＧバンドリングが適用されず、周波数ドメインＲＥＧバンドリングのみが適用される。ｓｕｂ−ＣＯＲＥＳＥＴ１ではバンドルのサイズ２の時間ドメインＲＥＧバンドリングが適用される。リソースインデックスはｓｕｂ−ＣＯＲＥＳＥＴごとに独立に行われるか、又はＣＯＲＥＳＥＴ全体に対してリソースインデックスが行われることができ、どの方式のリソースインデックスを使用するかは、ネットワークが上位階層シグナリングなどを通じて指示することができる。
【０１２９】
図８は本発明の一実施例によるリソースインデックスを説明する図である。
【０１３０】
図８の(ａ)ｓｕｂ−ＣＯＲＥＳＥＴ個別的インデックスは、互いに異なる探索空間を設定することが容易であり、(ｂ)ＣＯＲＥＳＥＴ全体に対するリソースインデックス(ｉ．ｅ．,ｃｏｍｂｉｎｅｄ  インデックス)は、時間／周波数ドメインＲＥＧバンドリングを同時に行うための方法の１つとして使用できる。(ａ)Ｓｅｐａｒａｔｅインデックスの場合、迅速なデコーディングが求められるＤＣＩに対する探索空間とデコーディング時間に対する制約が少ないＤＣＩに対する探索 空間を分離設定するための用途に使用できる。図８では便宜上、１ｓｔ  ｓｙｍｂｏｌから周波数を先にする(ｆｒｅｑｕｅｎｃｙ−ｆｉｒｓｔ)方式でリソースインデックスが行われたが、リソースインデックスはインターリービングなどの適用により変更できる。
【０１３１】
以上では、主に時間／周波数ドメインにおいて連続したＲＥＧの間のバンドリングについて説明したが、時間／周波数ＲＥＧバンドリングはバンドリングパターンにより定義されることもできる。例えば、周波数ドメインＲＥＧバンドリングのためにバンドリングパターンが{２,１,２,１}のように定義される場合、１つのＣＣＥを構成する６つのＲＥＧのうち、{ＲＥＧ０,ＲＥＧ１}、{ＲＥＧ２}、{ＲＥＧ３,ＲＥＧ４}、{ＲＥＧ５}が各々ＲＥＧバンドルを構成することができる。
【０１３２】
バンドリングパターンは、時間ドメインＲＥＧバンドリングにも使用できる。例えば、時間ドメインＲＥＧバンドリングが適用されるリソース領域のＤｕｒａｔｉｏｎが３ｓｙｍｂｏｌｓである場合、ネットワークは{２,１}のバンドリングパターンをシグナリングすることができる。バンドリングパターン{２,１}は、時間ドメインにおいて２つの連続したＲＥＧの１つのバンドルを構成し、続く１つのＲＥＧがさらに他のバンドルを構成することを意味する。パターンを構成するバンドルごとの時間バンドリングタイプ１／２は、予め定義されるか或いは上述した方法によってシグナリングされる。
【０１３３】
Ｉｎｔｅｒ−ＣＣＥバンドリング
【０１３４】
Ｉｎｔｒａ−ＣＣＥバンドリングと同様に、Ｉｎｔｅｒ−ＣＣＥバンドリングでもバンドリングの適用有無及び／又はバンドリングのサイズがネットワークによりシグナリングされることができる。上述したＲＥＧ  ｌｅｖｅｌ  バンドリングに関連する提案がＣＣＥ  ｌｅｖｅｌ  バンドリングにも適用でき、以上の提案においてＲＥＧをＣＣＥに代替してＩｎｔｅｒ−ＣＣＥバンドリングを具現することも可能である。
【０１３５】
Ｉｎｔｅｒ−ＣＣＥバンドリングを上述した方式で具現する場合、リソースインデックスなどの過程においてさらなる制約が発生することができる。例えば、Ｉｎｔｅｒ−ＣＣＥバンドリングが常に適用されると仮定する場合、Ｉｎｔｅｒ−ＣＣＥバンドリングのサイズを仮定してＣＣＥインデックスが行わなければならない場合が発生し得る。例えば、ＣＣＥインデックスは互いに連続であるが時間／周波数の位置が不連続である他のＣＣＥがＩｎｔｅｒ−ＣＣＥバンドリングされる場合があり得るので、バンドリングのサイズを考慮してＣＣＥインデックスが行われることができる。
【０１３６】
従って、ネットワークはＩｎｔｅｒ−ＣＣＥバンドリングを適用する場合、Ｉｎｔｅｒ−ＣＣＥバンドリングの適用有無とバンドリングのサイズのみを設定し、端末はＩｎｔｅｒ−ＣＣＥバンドリングが適用される場合に時間／周波数ドメインにおいて連続したリソースがバンドリングのサイズ内に存在すると、同一のプリコーディングが適用されると仮定することができる。
【０１３７】
Ｉｎｔｅｒ−ＣＣＥバンドリングのためのバンドルのサイズは、Ｉｎｔｒａ−ＣＣＥバンドルのサイズとは独立である。又はＩｎｔｅｒ−ＣＣＥバンドリングのための最大バンドルのサイズが特に定義され、他のＣＣＥに属したＲＥＧが互いに隣接する場合、最大バンドルのサイズ内では端末が同一のプリコーディングを仮定することと予め定義されるか、或いはネットワークによってシグナリングされることができる。
【０１３８】
また、インターリービングが適用されたＣＯＲＥＳＥＴにおいて、Ｉｎｔｅｒ−ＣＣＥバンドリングはインターリービング単位のサイズを設定することと代替できる。階層的(Ｈｉｅｒａｒｃｈｉｃａｌ)ＰＤＤＣＨ構造を効率的に構成するために、及び／又はＣＯＲＥＳＥＴの間のブロッキング(ｂｌｏｃｋｉｎｇ)の可能性を低くするために、ＲＥＧバンドルセット単位のインターリービングが導入されることができる。例えば、ネットワークはインターリービングが適用されたＣＯＲＥＳＥＴにおいて高い集合レベルの候補を構成する各々のＣＣＥに属したＲＥＧを連続的に配置し、ＲＥＧバンドルのセットをインターリービングすることができる。ＲＥＧバンドルセットに基づくインターリービングが行われ、ＲＥＧバンドルセットのサイズが(ＣＯＲＥＳＥＴごとに)設定されると、端末はＲＥＧバンドルセットのサイズがＩｎｔｅｒ−ＣＣＥ  ＲＥＧバンドリングのサイズと同じであると仮定することができる。 
【０１３９】
一例として、インターリービングが行われる１ｓｙｍｂｏｌ  ＣＯＲＥＳＥＴにおいて、ＲＥＧ{０,１,２,３,４,５}がＣＣＥ０を構成し、ＲＥＧ{６,７,８,９,１０,１１}がＣＣＥ１を構成し、ＣＣＥ０とＣＣＥ１が集合レベル２の候補を構成すると、ネットワークは各々のＣＣＥを構成するＲＥＧを１つずつペアリングしてインターリービングを行うことができる。例えば、ＲＥＧ{０,６}、{１,７}、{２,８}、{３,９}、{４,１０}、{５,１１}がインターリービング単位として使用されることができる。
【０１４０】
＜Ｗｉｄｅｂａｎｄ  Ｒｅｆｅｒｅｎｃｅ  Ｓｉｇｎａｌ＞
【０１４１】
ＮＲではシステムの柔軟性を向上させるために、Ｃｏｍｍｏｎ  ＲＳを減らし、ＵＥ−ｓｐｅｃｉｆｉｃ  ＤＭＲＳ(ｄｅｍｏｄｕｌａｔｉｏｎ  ｒｅｆｅｒｅｎｃｅ  ｓｉｇｎａｌ)を中心として動作する方案が論議されている。ところが、制御チャネルのチャネル推定性能及び推定、位相追跡(ｔｒａｃｋｉｎｇ)などを目的として周期的にＷｉｄｅｂａｎｄ  ＲＳが伝送されることができる。Ｗｉｄｅｂａｎｄ  ＲＳが使用される場合、チャネル推定時に端末が使用できるＲＳの数が増えるので、チャネル推定性能が向上される。また端末がＷｉｄｅｂａｎｄ  ＲＳセル或いはビームレベルの測定を行ってセル変更、ビーム変更などの手順がより効率的に進行されることができる。
【０１４２】
ＮＲの制御チャネルにＵＥ−ｄｅｄｉｃａｔｅｄビーム形成方式又は送信ダイバーシティー方式などを適用して制御情報を送受信することができるが、Ｗｉｄｅｂａｎｄ  ＲＳは送信ダイバーシティー方式にもっと適合する。ＵＥ−ｄｅｄｉｃａｔｅｄビーム形成方式では各々の端末のチャネル状況に合わせて受信ＳＮＲを最大化できるプリコーディングが適用されるので、狭帯域の動作にもっと適合する。従って、Ｗｉｄｅｂａｎｄ  ＲＳが適用されるリソース領域では送信ダイバーシティー方式を使用した方がより適切である。
【０１４３】
ＮＲにおいて、送信ダイバーシティー方式として２−Ｐｏｒｔ  ＳＦＢＣ(ｓｐａｃｅ  ｆｒｅｑｕｅｎｃｙ  ｂｌｏｃｋ  ｃｏｄｉｎｇ)、１−Ｐｏｒｔ  ＲＢ  ｌｅｖｅｌプリコーダサイクリング、１−Ｐｏｒｔ  ＳＣＤＤ(ｓｔａｃｋｅｄ  ｃｙｃｌｉｃ  ｄｅｌａｙ  ｄｉｖｅｒｓｉｔｙ)などの技法を使用できる。１−Ｐｏｒｔ  ＲＢ  ｌｅｖｅｌプリコーダサイクリングは高いＡＬにおいて優れた性能を有し、端末の側面でＵＥ−ｄｅｄｉｃａｔｅｄビーム形成と同一の動作でデコーディングを行うことができるという長所がある。しかし、１−Ｐｏｒｔ  ＲＢ  ｌｅｖｅｌプリコーダサイクリング技法にＷｉｄｅｂａｎｄ  ＲＳを適用するためには、さらなるシグナリングが必要である。
【０１４４】
端末はＷｉｄｅｂａｎｄ  ＲＳが伝送される領域において同一のプリコーダが使用されていると仮定するので、該当領域内のＲＳを全て使用してチャネル推定を行い、測定、トレッキングなどを行うことができる。反面、１−Ｐｏｒｔ  ＲＢ  ｌｅｖｅｌプリコーダサイクリングは、ＲＢごとに異なるプリコーダを使用してビームダイバーシティー利得を得る方式である。従って、プリコーダサイクリング技法とＷｉｄｅｂａｎｄ  ＲＳを同時に適用するためには、以下のような情報要素がシグナリングされる必要がある。以下の情報要素は上位階層シグナリングなどを通じて指示されるか、初期接続過程でシグナリングされる。以下の情報要素の全部或いは一部が端末にシグナリングされることができ、一部のみが端末にシグナリングされる場合は、シグナリングされない情報要素は予め定義されることができる。
【０１４５】
(ｉ)  Ｗｉｄｅｂａｎｄ  ＲＳの周期
【０１４６】
Ｗｉｄｅｂａｎｄ  ＲＳが伝送される周期或いはサブフレームセットなどが上位階層シグナリングなどを通じて端末に指示される。端末はＷｉｄｅｂａｎｄ  ＲＳが伝送されるスロットではＷｉｄｅｂａｎｄ  ＲＳに基づいて制御チャネルデコーディングを行う。
【０１４７】
(ii)  Ｗｉｄｅｂａｎｄ  ＲＳの伝送領域
【０１４８】
スロット内でＷｉｄｅｂａｎｄ  ＲＳが伝送される時間／周波数領域がシグナリングされることができる。Ｗｉｄｅｂａｎｄ  ＲＳ周波数領域はＵＥ  ｍｉｎｉｍｕｍ  Ｂａｎｄｗｉｄｔｈ(ｉ．ｅ．,ＮＲにて規定する最小ＢＷ)の倍数単位でシグナリングされ、さらにＷｉｄｅｂａｎｄ  ＲＳの開始点などがシグナリングされることができる。Ｗｉｄｅｂａｎｄ  ＲＳの時間領域であってＷｉｄｅｂａｎｄ  ＲＳが伝送されるシンボル(又はシンボルセット)がシグナリングされることもできる。
【０１４９】
さらに他の方法として、Ｗｉｄｅｂａｎｄ  ＲＳの伝送領域はＣＯＲＥＳＥＴ(或いはｓｕｂＣＯＲＥＳＥＴ)単位でシグナリングされることができる。例えば、ＣＯＲＥＳＥＴ  ＣｏｎｆｉｇｕｒａｔｉｏｎにＷｉｄｅｂａｎｄ  ＲＳの伝送有無などを含ませる方法であって、Ｗｉｄｅｂａｎｄ  ＲＳの伝送領域がシグナリングされることができる。一例として、図７(ｂ)のようにｓｕｂＣＯＲＥＳＥＴが設定され、ｓｕｂＣＯＲＥＳＥＴ０のみにＷｉｄｅｂａｎｄ  ＲＳが適用される場合、ｓｕｂＣＯＲＥＳＥＴ１のＲＥＧ(又はＲＥＧバンドル)にはＷｉｄｅｂａｎｄ  ＲＳが伝送されるｓｕｂＣＯＲＥＳＥＴ０のプリコーダとは異なるプリコーダが適用されることができる。
【０１５０】
(iii)  Ｗｉｄｅｂａｎｄ内における同一のプリコーディングパターン
【０１５１】
上述したように、１−Ｐｏｒｔ  ＲＢ  ｌｅｖｅｌプリコーダサイクリングが使用される場合、各々のＲＢ或いはＲＢグループごとにプリコーダが変更されることができる。従って、基地局はＷｉｄｅｂａｎｄ  ＲＳが伝送される領域のうち、同一のプリコーダが適用されるＲＢパターンなどをシグナリングすることができる。例えば、ネットワークはＷｉｄｅｂａｎｄ  ＲＳが適用されるリソース領域内のプリコーディング情報を端末に知らせることができる。
【０１５２】
以下の図９では、パターン、ｓｕｂ−パターンなどの概念を用いてプリコーディング情報を端末に送信する方案を説明するが、本発明はこれに限られず、プリコーディング情報は様々な方式で送信できる。またシグナリングオーバーヘッドなどを減らすために以下のプリコーディング情報のうち、少なくとも一部が予め定義されることもできる。例えば、Ｗｉｄｅｂａｎｄ  ＲＳが使用されるリソース領域におけるプリコーディング関連パターンが予め定義されることができる。例えば、プリコーディング関連パターンが以下にて提案するパターン及びｓｕｂ−パターンなどを使用して定義されることができる。
【０１５３】
図９は本発明の一実施例による同一のプリコーディングパターンを指示する方法を説明するための図である。図９において同じ数字は同一のプリコーディングが適用されることを意味する。
【０１５４】
１−Ｐｏｒｔ  ＲＢ  ｌｅｖｅｌプリコーダサイクリングが使用される場合、ネットワークは同一のプリコーディングが適用される区間を端末に知らせるためにパターン長さ、サブ−パターン長さなどをシグナリングする。ここで、パターンはプリコーダサイクリング周期を意味し、サブ−パターンはパターン内で同一のプリコーディングが適用されるリソース区間を意味する。
【０１５５】
例えば、図９の(ａ)においてネットワークはパターン長さ６を、サブ−パターン長さ２を端末にシグナリングすることができる。端末はＷｉｄｅｂａｎｄ  ＲＳが適用される区間にパターン及びサブ−パターンを適用して同一のプリコーディングが適用されたリソースを識別することができ、該当リソースに基づいてチャネル推定、推定、トレッキングなどを行うことができる。
【０１５６】
図９の(ｂ)はＷｉｄｅｂａｎｄ  ＲＳを適用するための他の例を示す。図９の(ｂ)のように、Ｗｉｄｅｂａｎｄ  ＲＳが伝送されることは、区間ごとに測定を行う時に効果的である。また、ＣＣＥを構成するＲＥＧ／ＲＥＧバンドル又は候補を構成する互いに異なるＣＣＥが互いに異なるサブ−パターンに分散される場合、有効なバンドリングのサイズが相対的に大きくなるので、周波数ダイバーシティーの利得を得ることができ、またチャネル推定性能が向上される。
【０１５７】
＜Ｃｏｎｆｉｇｕｒａｂｌｅ  ＲＳ  Ｄｅｎｓｉｔｙ＞
【０１５８】
図４にて提案するＲＳマッピング方式のうち、(ａ)タイプ１はＦｕｌｌ  Ｌｏａｄｅｄ  ＲＳ方式、(ｂ)タイプ２はＦｒｏｎｔ  Ｌｏａｄｅｄ  ＲＳ方式と呼ばれ、Ｆｒｏｎｔ  Ｌｏａｄｅｄ  ＲＳ方式はＦｕｌｌ  ｌｏａｄｅｄ  ＲＳ方式に比べて制御信号に対して低いコーディングレートを保障できるという長所がある。
【０１５９】
さらに、Ｆｕｌｌ  Ｌｏａｄｅｄ  ＲＳ方式においてコーディングレートを低くするための方式が提案される。一例として、コーディングレートを低くするために、チャネル推定性能に基づいてＲＳ  Ｄｅｎｓｉｔｙを調節することができる。
【０１６０】
図１０は本発明の一実施例によってＲＳ密度を調節するためのＲＳパターンを示す。図１０においてＲＳパターン(ｉ．ｅ．,ＲＳが伝送されるＲＥの位置)は変更可能である。例えば、図４のようにＲＳがマッピングされることができる。
【０１６１】
図１０を参照すると、各々のＲＳパターンによってＲＳ  Ｄｅｎｓｉｔｙが異なるように設定される。従って、制御情報伝送のためのＤａｔａ  ＲＥの数も各々のＲＳパターンによって異なるように設定される。３つのＲＳパターンの全部或いは一部がＮＲ制御チャネルのために定義されることができる。
【０１６２】
ネットワークはチャネル環境が優れた端末或いはチャネル推定性能が保障される端末(或いは端末グループ)に相対的に低いｄｅｎｓｉｔｙのＲＳパターンを設定できる。例えば、各々のＣＯＲＥＳＥＴごとに該当ＣＯＲＥＳＥＴ内で端末が仮定すべきＲＳパターンが設定される。端末はＣＯＲＥＳＥＴごとのＲＳ  Ｃｏｎｆｉｇｕｒａｔｉｏｎによって該当ＣＯＲＥＳＥＴにおけるＲＳパターンを仮定することができる。
【０１６３】
各々のＣＯＲＥＳＥＴにおいて端末が仮定すべきＲＳパターンは(さらなるシグナリングなしに)、ＣＯＲＥＳＥＴ  Ｄｕｒａｔｉｏｎに連携して決定される。例えば、設定可能なＣＯＲＥＳＥＴ  Ｄｕｒａｔｉｏｎが１,２,３ｓｙｍｂｏｌである場合、端末は各々のＤｕｒａｔｉｏｎに対して各々のＲＳパターンが使用されると仮定できる。ＣＯＲＥＳＥＴ  Ｄｕｒａｔｉｏｎが１である場合、(ａ)１／３ＲＳパターンが使用され、ＣＯＲＥＳＥＴ  Ｄｕｒａｔｉｏｎが２である場合、１／４ＲＳパターンが使用され、ＣＯＲＥＳＥＴ  Ｄｕｒａｔｉｏｎ３である場合は、１／６ＲＳパターンが使用されると設定／予め定義できる。 
【０１６４】
このようなＣＯＲＥＳＥＴ  ＤｕｒａｔｉｏｎとＲＳパターンの間の連携(ａｓｓｏｃｉａｔｉｏｎ)の適用は、時間ドメインのバンドリングの有無によって決定される。例えば、時間ドメインのバンドリング(ｅ．ｇ．，端末は、時間ドメインにおいて同じバンドルに属するＲＥＧは同一のプリコーディングを仮定できる)が適用されるＣＯＲＥＳＥＴの場合、ＣＯＲＥＳＥＴ  Ｄｕｒａｔｉｏｎによって予め決められたＲＳパターンが使用される。時間ドメインのバンドリングが適用されない場合、ＣＯＲＥＳＥＴ  Ｄｕｒａｔｉｏｎに関係なく特定のＲＳパターン(ｅ．ｇ．，１／３ＲＳパターン)のみが使用されるように予め定義できる。時間ドメインのバンドリングが適用される場合、時間ドメインのバンドリングによってチャネル推定性能が向上されるので、ＲＥＧ当たりのＲＳ  Ｄｅｎｓｉｔｙを下げてもチャネル推定性能が大きく低下しないためである。
【０１６５】
このような方法により、チャネル推定性能は保障しながら、さらなるコーディング利得を得ることができる。例えば、低密度のＲＳパターンを使用する場合、図４のタイプ２と同様の効果を期待できる。
【０１６６】
なお、各々のＣＯＲＥＳＥＴにおいて端末が仮定すべきＲＳパターンは(さらなるシグナリングなしに)各々のＣＯＲＥＳＥＴのバンドリングオプションに連携して決定される。ＮＲ−ＰＤＣＣＨに対して時間／周波数ドメインにおいてＲＥＧバンドリングが可能であり、ＲＥＧバンドリングを通じてチャネル推定の側面で性能向上を期待できる。このようにＲＥＧバンドリングにより十分なチャネル推定性能が得られると、ＲＳ  Ｄｅｎｓｉｔｙを下げることによりコーディングレートの側面でも利得を得ることが好ましい。
【０１６７】
従って、本発明の一実施例では、全体バンドリングのサイズに連携してＲＳ密度を決定できる。例えば、時間／周波数ドメインにおいてバンドルのサイズは(Ｔｉｍｅ、  Ｆｒｅｑｕｅｎｃｙ)＝(１,６)、(２,３)、(３,２)、(２,１)、(３,１)(但し、１ｓｙｍｂｏｌ  ＣＯＲＥＳＥＴの場合、(１,２)、(１,３)も可能)があり得るが、時間及び周波数ドメインにおいてバンドルのサイズの合計が５以上である場合、１／６のＲＳ  Ｄｅｎｓｉｔｙに該当するＲＳパターンを使用できる。一方、時間及び周波数ドメインにおいてバンドルのサイズの合計が５より小さい場合には、１／３のＲＳ  Ｄｅｎｓｉｔｙに該当するＲＳパターンを適用できる。
【０１６８】
さらに他の例として、時間ドメインのバンドリングがコーディングレートを減らすための目的で使用される場合(ｅ．ｇ．，時間ドメインバンドルのＲＥＧのうち、一部ＲＥＧにのみＲＳが伝送)、周波数ドメインバンドルのサイズに基づいてＲＳ  Ｄｅｎｓｉｔｙが決定される。一例として、周波数ドメインバンドルのサイズが２(ＲＥＧｓ)より大きい場合、１／６のＲＳ  Ｄｅｎｓｉｔｙに該当するＲＳパターンが使用され、周波数ドメインバンドルのサイズが１或いは２である場合は、１／３、１／４のＲＳ  Ｄｅｎｓｉｔｙに該当するＲＳパターンが使用される。
【０１６９】
上述したＣｏｎｆｉｇｕｒａｂｌｅ  ＲＳパターン(又はＣＯＲＥＳＥＴ  Ｄｕｒａｔｉｏｎ  ｂａｓｅｄ  ＲＳパターン)は、チャネル推定性能とコーディングレートの側面で効率性を向上させることができるが、互いに異なるＣＯＲＥＳＥＴ  Ｄｕｒａｔｉｏｎを有するＣＯＲＥＳＥＴが重畳される場合に対する動作方式が定義される必要がある。
【０１７０】
図１１は本発明の一実施例によって互いに異なるＣＯＲＥＳＥＴ Ｄｕｒａｔｉｏｎを有するＣＯＲＥＳＥＴが重畳される場合を示す図である。
【０１７１】
図１１を参照すると、Ｄｕｒａｔｉｏｎ１のＣＯＲＥＳＥＴ０とＤｕｒａｔｉｏｎ３のＣＯＲＥＳＥＴ１が部分的に重畳(ｏｖｅｒｌａｐ)する。ＣＯＲＥＳＥＴ０では１／３ＲＳパターンが使用され、ＣＯＲＥＳＥＴ１では時間ドメインのバンドリングが適用され(ｅ．ｇ．，バンドルのサイズ：周波数ドメインでは１＆時間ドメインでは３)、１／６ＲＳパターンが使用されると仮定する。この場合、Ｒｅｇｉｏｎ０ではＲＳパターンが重複して設定されるので、Ｒｅｇｉｏｎ０でＲＳパターンをどのように処理するかが予め定義されていないと、チャネル推定を始めとした端末のブラインドデコーディング過程で端末がＲＳを間違って参照するか或いはデコーディング性能が低下するなどの問題が発生し得る。
【０１７２】
互いに異なるＣＯＲＥＳＥＴの重畳により時間／周波数ドメインにおいてＲＳパターンが重複して設定される場合に発生し得る問題を解決するために、以下の(ｉ)〜(ｉｖ)の方式が提案される。以下のオプションのうち、特定オプションがＣＯＲＥＳＥＴ重畳時に使用されるように予め定義されるか、或いはネットワークが特定オプションを端末に設定することができる。又は以下のオプションはＲＳパターンとは関係なく(ｅ．ｇ．，互いに異なるＣＯＲＥＳＥＴのＲＳパターンが同じ場合にも)ＣＯＲＥＳＥＴが重複される場合にも適用できる。
【０１７３】
(ｉ)  オプション１：  該当ＣＯＲＥＳＥＴのＲＳパターンのみを仮定
【０１７４】
ＮＲ−ＰＤＣＣＨのために基本的に端末−特定ＤＭＲＳが使用される。従って、端末は特定ＣＯＲＥＳＥＴに属した制御チャネル候補に対するブラインドデコーディングを行う時、該当ＣＯＲＥＳＥＴのＲＳパターンのみを仮定できる。オプション１のような動作のためには、ネットワークが同一のリソースに同一のＲＳポートを用いて互いに異なるＰＤＣＣＨを伝送しないことを前提できる。例えば、端末は図１１においてＲｅｇｉｏｎ１、２には常にＣＯＲＥＳＥＴ１で設定されたＲＳパターンが使用されると仮定できる。端末はＲｅｇｉｏｎ０でＣＯＲＥＳＥＴ０の候補に対するブラインドデコーディングを行う時はＣＯＲＥＳＥＴ０のＲＳパターンのみが存在すると仮定し、Ｒｅｇｉｏｎ０でＣＯＲＥＳＥＴ１の候補に対するブラインドデコーディングを行う時にはＣＯＲＥＳＥＴ１のＲＳパターンのみが存在すると仮定して、ブラインドデコーディングを行う。
【０１７５】
(ii)  オプション２：  ＲＳパターンを変更
【０１７６】
多数のＣＯＲＥＳＥＴが１つの端末に設定され、時間／周波数ドメインにおいてＣＯＲＥＳＥＴが重畳する区間が存在する場合、特定のＣＯＲＥＳＥＴのＲＳパターンがＣＯＲＥＳＥＴの全体或いは重畳区間で変更できる。このために、ネットワークはＣＯＲＥＳＥＴを設定する時、該当ＣＯＲＥＳＥＴのＲＳパターン情報(ｅ．ｇ．，周波数シフトを示すｖ−ｓｈｉｆｔ情報)を共に設定することができる。
【０１７７】
又はネットワークのシグナリング無しに、端末はＣＯＲＥＳＥＴが重畳する場合、特定ＣＯＲＥＳＥＴのＲＳパターンが予め定義されたパターンに変更されると仮定することもできる。
【０１７８】
このためにＣＯＲＥＳＥＴの間の優先順位が定義され、低い優先順位のＣＯＲＥＳＥＴのＲＳパターンを変更することができる。高い優先順位を有するＣＯＲＥＳＥＴは、例えば、ＰＤＣＣＨの伝送有無に関係なく伝送されるＲＳ(ｅ．ｇ．，Ｗｉｄｅｂａｎｄ  ＲＳ)などが伝送されるＣＯＲＥＳＥＴであることができ、端末はこのようなＣＯＲＥＳＥＴのＲＳパターンは変更されないと仮定することができる。
【０１７９】
なお、ＲＳパターンが予め定義されたパターンに変更される時、ここで予め定義されたパターンは、例えば、ｖ−ｓｈｉｆｔ値(ｅ．ｇ．，ＲＳの位置が周波数ドメインにおいてｖ−ｓｈｉｆｔ値だけ移動)などを通じて定義できる。
【０１８０】
(iii)  オプション３：  他のＣＯＲＥＳＥＴのレートマッチング(Ｒａｔｅ  ｍａｔｃｈｉｎｇ)
【０１８１】
ＰＤＣＣＨの伝送有無に関係なく伝送されるＲＳ(ｅ．ｇ．，Ｗｉｄｅｂａｎｄ  ＲＳ)が特定ＣＯＲＥＳＥＴ(或いは特定時間／周波数領域)で伝送され、該当ＣＯＲＥＳＥＴと重畳するさらに他のＣＯＲＥＳＥＴが設定されたと仮定する。この場合、端末は各々のＣＯＲＥＳＥＴに対するブラインドデコーディングを行う時、他のＣＯＲＥＳＥＴのＲＳパターン位置は制御情報のマッピングにおいてレートマッチングされると仮定できる。
【０１８２】
この場合、ＲＳパターンの位置に対して制御情報がレートマッチングされるので、制御情報のコーディングレートが増加し、結果的に端末のデコーディング性能が低下する。また、同一の時間／周波数リソースにおいてＲＳパターンが重複的に設定される場合、該当領域においてＲＳを使用できないことがある。例えば、図１０の１／３ＲＳパターンと１／６ＲＳパターンが各々異なるＣＯＲＥＳＥＴで使用される場合、１／６ＲＳパターンによるＲＳ  ＲＥは１／３パターンによってもＲＳ  ＲＥに重複設定される。
【０１８３】
このような問題を解決するために、オプション３が使用される場合、ＲＳ  ＲＥ位置がＲＳパターンの間で重複しないようにＲＳパターンを決定する必要がある。ＲＳが伝送されるＲＥが重複しないようにするために、オプション２で設定されたＲＳパターン変更方法を使用できる。
【０１８４】
(iv)  オプション４：  優先順位の高いＣＯＲＥＳＥＴのＲＳパターンを使用
【０１８５】
ＰＤＣＣＨの伝送有無に関係なく伝送されるＲＳ(ｅ．ｇ．，Ｗｉｄｅｂａｎｄ  ＲＳ)が特定ＣＯＲＥＳＥＴ(又は特定時間／周波数領域)で伝送され、該当ＣＯＲＥＳＥＴと重畳されるさらに他のＣＯＲＥＳＥＴが設定される場合、端末は各々のＣＯＲＥＳＥＴに対するブラインドデコーディングを行う時、ＣＯＲＥＳＥＴの重畳区間(ｅ．ｇ．，図１１のＲｅｇｉｏｎ０)では高い優先順位を有するＣＯＲＥＳＥＴのＲＳパターンのみを仮定できる。例えば、端末は低い優先順位を有するＣＯＲＥＳＥＴで定義されたＲＳパターンはＣＯＲＥＳＥＴの重畳区間で使用されないと仮定することができる。
【０１８６】
ＣＯＲＥＳＥＴの優先順位はネットワークにより設定されるか、或いは予め定義される。ＣＯＲＥＳＥＴの優先順位が予め定義される場合、共通探索空間を含むＣＯＲＥＳＥＴ、Ｗｉｄｅｂａｎｄ  ＲＳ(ｅ．ｇ．，ＰＤＣＣＨの伝送有無に関係なく一定の領域で一定の間隔で伝送されるＲＳ)が伝送されるＣＯＲＥＳＥＴなどに高い優先順位が付与されることができる。
【０１８７】
もしＷｉｄｅｂａｎｄ  ＲＳが伝送されるＣＯＲＥＳＥＴとＤＭＲＳが伝送されるＣＯＲＥＳＥＴが全体又は一部として重畳し(ｅ．ｇ．，図１１においてＣＯＲＥＳＥＴ０でｗｉｄｅｂａｎｄ  ＲＳが使用され、ＣＯＲＥＳＥＴ１でＤＭＲＳが使用される場合)、オプション３又は４が使用される場合、端末はＣＯＲＥＳＥＴ１で時間ドメインのバンドリングが適用されても、Ｒｅｇｉｏｎ０とＲｅｇｉｏｎ１の各々に対して個々にチャネル推定を行うことができる。例えば、端末はＲｅｇｉｏｎ０ではＷｉｄｅｂａｎｄ  ＲＳを用いたチャネル推定結果を該当ＲＥＧ内に適用し、Ｒｅｇｉｏｎ１ではＤＭＲＳを用いたチャネル推定結果を該当ＲＥＧ内に適用することができる。この時、端末は時間ドメインのバンドリングはＲｅｇｉｏｎ１のみに適用されると仮定できる。ＣＯＲＥＳＥＴが重畳される領域における時間ドメインバンドルのサイズは該当ＣＯＲＥＳＥＴのバンドルのサイズとは異なるように適用されると解釈できる。Ｒｅｇｉｏｎ２では時間ドメインのバンドリングがＣＯＲＥＳＥＴの設定によって決定される。
【０１８８】
図１２は本発明の一実施例による下りリンク制御情報の送受信方法の流れを示す図である。図１２は上述した内容に対する例示的な具現であり、本発明は図１２により限られず、上述した内容と重複する説明は省略できる。
【０１８９】
図１２を参照すると、基地局はＲＥＧに対するバンドリング情報を上位階層シグナリングを通じて送信できる(１２０５)。各々のＲＥＧは１ＲＢ及び１ＯＦＤＭシンボルに該当できる。基地局はＣＯＲＥＳＥＴ  Ｃｏｎｆｉｇｕｒａｔｉｏｎの上位階層シグナリングを通じてバンドリング情報を送信できる。
【０１９０】
１つ又は２つ以上のＣＯＲＥＳＥＴが１つの端末に設定されることができる。例えば、基地局は１つ又は２つ以上のＣＯＲＥＳＥＴ  Ｃｏｎｆｉｇｕｒａｔｉｏｎを１つの端末に送信することにより、１つ又は２つ以上のＣＯＲＥＳＥＴを設定できる。各々のＣＯＲＥＳＥＴごとにバンドリング情報及びＣＣＥ−ｔｏ−ＲＥＧマッピングタイプが指示(ｅ．ｇ．，ＣＯＲＥＳＥＴ  Ｃｏｎｆｉｇｕｒａｔｉｏｎを通じて指示)される。バンドリング情報は１ＲＥＧバンドルを構成するＲＥＧの数を示すバンドルのサイズ情報を含む。ＣＯＲＥＳＥＴのＣＣＥ−ｔｏ−ＲＥＧマッピングタイプは、局部(ｌｏｃａｌｉｚｅｄ)マッピングタイプ(ｅ．ｇ．，Ｎｏｎ−ｉｎｔｅｒｌｅａｖｅｄ  ｍａｐｐｉｎｇ)とインターリービング(ｉｎｔｅｒｌｅａｖｅｄ)マッピングタイプのうちいずれか１つを指示することができる。 
【０１９１】
以下、説明の便宜上、ＣＯＲＥＳＥＴのＣＣＥ−ｔｏ−ＲＥＧマッピングタイプがインターリービングマッピングタイプに設定されたと仮定する。また、ＣＯＲＥＳＥＴが複数のＯＦＤＭシンボル上に設定されたと仮定する。一例として、ＣＯＲＥＳＥＴを構成する複数のＯＦＤＭシンボルの数は２又は３である。
【０１９２】
基地局は下りリンク制御情報(ＤＣＩ)を生成できる(１２１０)。
【０１９３】
基地局は生成されたＤＣＩをＰＤＣＣＨを通じて送信できる(１２１５)。
【０１９４】
バンドリング情報が第１の値を指示すると、基地局はＣＯＲＥＳＥＴ内で同一のＲＢ上に位置し、他のＯＦＤＭシンボルに該当するＲＥＧのみを１つのＲＥＧバンドルにバンドリングできる。バンドリング情報が第２の値を指示すると、基地局はＣＯＲＥＳＥＴ内で同一のＲＢ上に位置し、他のＯＦＤＭシンボルに該当するＲＥＧだけではなく、他のＲＢ上に位置するＲＥＧを共に１つのＲＥＧバンドルにバンドリングすることができる。基地局はＲＥＧバンドリングの結果により同一のＲＥＧバンドルに属するＲＥＧに対して同一のプリコーディングを適用してＤＣＩを送信することができる。
【０１９５】
端末は複数のＯＦＤＭシンボル上に設定された制御リソースセット(ＣＯＲＥＳＥＴ)内で下りリンク制御チャネル(ＰＤＣＣＨ)に対するブラインド検出を行うことができる(１２２０)。
【０１９６】
端末はブラインド検出されたＰＤＣＣＨから下りリンク制御情報(ＤＣＩ)を得る(１２２５)。端末はバンドリング情報が第１の値を指示すると、ＣＯＲＥＳＥＴ内で同一のＲＢ上に位置し、他のＯＦＤＭシンボルに該当するＲＥＧのみが１つのＲＥＧバンドルにバンドリングできる。バンドリング情報が第２の値を指示すると、端末はＣＯＲＥＳＥＴ内で同一のＲＢ上に位置し、他のＯＦＤＭシンボルに該当するＲＥＧだけではなく、他のＲＢ上に位置するＲＥＧを共に１つのＲＥＧバンドルにバンドリングできる。例えば、バンドリング情報が第１の値を指示すると、端末は時間ドメインＲＥＧバンドリングを行い、バンドリング情報が第２の値を指示すると、端末は時間−周波数 ドメインＲＥＧバンドリングを行うことができる。
【０１９７】
端末はＲＥＧバンドリングの結果によって同一のＲＥＧバンドルに属するＲＥＧに対して同一のプリコーディングを仮定してＰＤＣＣＨに対するブラインド検出を行うことができる。例えば、端末は同一のＲＥＧバンドルに属したＲＥＧを通じて受信される参照信号に同一のプリコーディングが適用されたと仮定してＰＤＣＣＨに対する復調(ｄｅｍｏｄｕｌａｔｉｏｎ)を行うことができる。
【０１９８】
バンドリング情報が第１の値を指示する場合、１ＲＥＧバンドルのサイズがＣＯＲＥＳＥＴを構成する複数のＯＦＤＭシンボルの数と同一に設定される。
【０１９９】
バンドリング情報が第２の値を指示する場合、１ＲＥＧバンドルのサイズは１ＣＣＥ(ｃｏｎｔｒｏｌ  ｃｈａｎｎｅｌ  ｅｌｅｍｅｎｔ)を構成するＲＥＧの数と同一に設定される。
【０２００】
ＣＣＥ−ｔｏ−ＲＥＧマッピングのためのインターリービングは、ＲＥＧバンドルインデックスを用いてＲＥＧバンドル単位で行われる。
【０２０１】
ＣＣＥ−ｔｏ−ＲＥＧマッピングタイプによって支援されるバンドルのサイズが異なる。
【０２０２】
一例として、バンドリング情報は同一のＣＣＥ内に属するＲＥＧのバンドリングのためのイントラ(ｉｎｔｒａ)−ＣＣＥバンドルのサイズ情報及び他のＣＣＥに属するＲＥＧのバンドリングのためのインタ(ｉｎｔｅｒ)−ＣＣＥバンドルのサイズ情報のうちいずれか１つを含む。バンドリング情報がインタ−ＣＣＥバンドルのサイズ情報を含む場合、端末は同一のインタ−ＣＣＥバンドルに属する他のＣＣＥのＲＥＧに対して同一のプリコーディングを仮定して、ＰＤＣＣＨのブラインド検出を行うことができる。
【０２０３】
図１３は本発明の一実施例による無線通信システム１００における基地局１０５及び端末１１０の構成を示したブロック図である。図１３に示した基地局１０５と端末１１０の構成は、上述した方法を実施するための基地局と端末の例示的な具現であり、本発明の基地局と端末の構成は図１３により限られない。基地局(１０５)はｅＮＢ又はｇＮＢとも呼ばれ、端末１１０はＵＥとも呼ばれる。
【０２０４】
無線通信システム１００を簡略に示すために、１つの基地局１０５と１つの端末１１０を示したが、無線通信システム１００は１つ以上の基地局及び／又は１つ以上の端末を含む。
【０２０５】
基地局１０５は、送信(Ｔｘ)データプロセッサ１１５、シンボル変調器１２０、送信器１２５、送受信アンテナ１３０、プロセッサ１８０、メモリ１８５、受信器１９０、シンボル復調器１９５及び受信データプロセッサ１９７を含むことができる。そして、端末１１０は、送信(Ｔｘ)データプロセッサ１６５、シンボル変調器１７５、送信器１７５、送受信アンテナ１３５、プロセッサ１５５、メモリ１６０、受信器１４０、シンボル復調器１５５及び受信データプロセッサ１５０を含むことができる。送受信アンテナ１３０、１３５はそれぞれ基地局１０５及び端末１１０に１つが示されているが、基地局１０５及び端末１１０は複数の送受信アンテナを備えている。よって、本発明による基地局１０５及び端末１１０はＭＩＭＯ(Ｍｕｌｔｉｐｌｅ  Ｉｎｐｕｔ  Ｍｕｌｔｉｐｌｅ  Ｏｕｔｐｕｔ)システムを支援する。また、本発明による基地局１０５はＳＵ−ＭＩＭＯ(Ｓｉｎｇｌｅ  Ｕｓｅｒ−ＭＩＭＯ)ＭＵ−ＭＩＭＯ(Ｍｕｌｔｉ  Ｕｓｅｒ−ＭＩＭＯ)方式の全てを支援することができる。
【０２０６】
下りリンク上で、送信データプロセッサ１１５はトラフィックデータを受信し、受信したトラフィックデータをフォーマットしてコードし、コードされたトラフィックデータをインタリーブして変調し(又はシンボルマッピングし)、変調シンボル(“データシンボル”)を提供する。シンボル変調器１２０はこのデータシンボルとパイロットシンボルを受信及び処理してシンボルのストリームを提供する。
【０２０７】
シンボル変調器１２０は、データ及びパイロットシンボルを多重化し、これを送信器１２５に送信する。ここで、それぞれの送信シンボルはデータシンボル、パイロットシンボル又はゼロの信号値であり得る。それぞれのシンボル周期で、パイロットシンボルが連続的に送信されることもできる。パイロットシンボルは周波数分割多重化(ＦＤＭ)、直交周波数分割多重化(ＯＦＤＭ)、時分割多重化(ＴＤＭ)又はコード分割多重化(ＣＤＭ)シンボルであり得る。
【０２０８】
送信器１２５はシンボルのストリームを受信し、これを１つ以上のアナログ信号に変換し、さらにこのアナログ信号を追加的に調節して(例えば、増幅、フィルタリング及び周波数アップカンバーティング(ｕｐｃｏｎｖｅｒｔｉｎｇ)して、無線チャネルを介した送信に適した下りリンク信号を発生させる。すると、送信アンテナ１３０は発生した下りリンク信号を端末に送信する。
【０２０９】
端末１１０の構成において、受信アンテナ１３５は基地局からの下りリンク信号を受信し、受信された信号を受信器１４０に提供する。受信器１４０は受信された信号を調整し(例えば、フィルタリング、増幅、及び周波数ダウンカンバーティング(ｄｏｗｎｃｏｎｖｅｒｔｉｎｇ))、調整された信号をデジタル化してサンプルを獲得する。シンボル復調器１４５は受信されたパイロットシンボルを復調し、チャネル推定のためにこれをプロセッサ１５５に提供する。
【０２１０】
また、シンボル復調器１４５はプロセッサ１５５から下りリンクに対する周波数応答推定値を受信し、受信されたデータシンボルに対してデータ復調を行って(送信されたデータシンボルの推定値である)データシンボル推定値を獲得し、データシンボル推定値を受信(Ｒｘ)データプロセッサ１５０に提供する。受信データプロセッサ１５０はデータシンボル推定値を復調(すなわち、シンボルデマッピング(ｄｅｍａｐｐｉｎｇ))し、デインタリーブ(ｄｅｉｎｔｅｒｌｅａｖｉｎｇ)し、デコードして送信トラフィックデータを復旧する。
【０２１１】
シンボル復調器１４５及び受信データプロセッサ１５０による処理はそれぞれ基地局１０５でのシンボル変調器１２０及び送信データプロセッサ１１５による処理に対して相補的である。
【０２１２】
端末１１０は上りリンク上で、送信データプロセッサ１６５はトラフィックデータを処理してデータシンボルを提供する。シンボル変調器１７０はデータシンボルを受信して多重化し、変調を行い、シンボルのストリームを送信器１７５に提供することができる。送信器１７５はシンボルのストリームを受信及び処理して上りリンク信号を発生させる。そして、送信アンテナ１３５は発生した上りリンク信号を基地局１０５に送信する。端末及び基地局における送信器及び受信器は、１つのＲＦユニットで構成される。
【０２１３】
基地局１０５で、端末１１０から上りリンク信号が受信アンテナ１３０を介して受信され、受信器１９０は受信した上りリンク信号を処理してサンプルを獲得する。ついで、シンボル復調器１９５はこのサンプルを処理し、上りリンクに対して受信されたパイロットシンボル及びデータシンボル推定値を提供する。受信データプロセッサ１９７はデータシンボル推定値を処理し、端末１１０から送信されたトラフィックデータを復旧する。
【０２１４】
端末１１０及び基地局１０５のそれぞれのプロセッサ１５５、１８０はそれぞれ端末１１０及び基地局１０５での動作を指示(例えば、制御、調整、管理など)する。それぞれのプロセッサ１５５、１８０はプログラムコード及びデータを保存するメモリユニット１６０、１８５と連結されることができる。メモリ１６０、１８５はプロセッサ１８０に連結され、オペレーティングシステム、アプリケーション、及び一般ファイル(ｇｅｎｅｒａｌ  ｆｉｌｅｓ)を保存する。
【０２１５】
プロセッサ１５５、１８０はコントローラー(ｃｏｎｔｒｏｌｌｅｒ)、マイクロコントローラー(ｍｉｃｒｏｃｏｎｔｒｏｌｌｅｒ)、マイクロプロセッサ(ｍｉｃｒｏｐｒｏｃｅｓｓｏｒ)、マイクロコンピューター(ｍｉｃｒｏｃｏｍｐｕｔｅｒ)などとも言える。一方、プロセッサ１５５、１８０はハードウェア(ｈａｒｄｗａｒｅ)又はファームウエア(ｆｉｒｍｗａｒｅ)、ソフトウェア、又はこれらの組合せによって実現されることができる。ハードウェアを用いて本発明の実施例を実現する場合には、本発明を実行するように構成されたＡＳＩＣｓ(ａｐｐｌｉｃａｔｉｏｎ  ｓｐｅｃｉｆｉｃ  ｉｎｔｅｇｒａｔｅｄ  ｃｉｒｃｕｉｔｓ)又はＤＳＰｓ(ｄｉｇｉｔａｌ  ｓｉｇｎａｌ  ｐｒｏｃｅｓｓｏｒｓ)、ＤＳＰＤｓ(ｄｉｇｉｔａｌ  ｓｉｇｎａｌ  ｐｒｏｃｅｓｓｉｎｇ  ｄｅｖｉｃｅｓ)、ＰＬＤｓ(ｐｒｏｇｒａｍｍａｂｌｅ  ｌｏｇｉｃ  ｄｅｖｉｃｅｓ)、ＦＰＧＡｓ(ｆｉｅｌｄ  ｐｒｏｇｒａｍｍａｂｌｅ  ｇａｔｅ  ａｒｒａｙｓ)などがプロセッサ１５５、１８０に備えられることができる。
【０２１６】
一方、ファームウエア又はソフトウェアを用いて本発明の実施例を具現する場合には、本発明の機能又は動作を行うモジュール、過程又は関数などを含むようにファームウエア又はソフトウェアが構成されることができ、本発明を実行するように構成されたファームウエア又はソフトウェアはプロセッサ１５５、１８０内に備えられるとかメモリ１６０、１８５に保存されてプロセッサ１５５、１８０によって駆動されることができる。
【０２１７】
端末と基地局の無線通信システム(ネットワーク)間の無線インターフェースプロトコルのレイヤーは通信システムでよく知られたＯＳＩ(ｏｐｅｎ  ｓｙｓｔｅｍ  ｉｎｔｅｒｃｏｎｎｅｃｔｉｏｎ)モデルの下位３個レイヤーに基づいて第１レイヤーＬ１、第２レイヤーＬ２及び第３レイヤーＬ３に分類されることができる。物理レイヤーは前記第１レイヤーに属し、物理チャネルを介して情報送信サービスを提供する。ＲＲＣ(Ｒａｄｉｏ  Ｒｅｓｏｕｒｃｅ  Ｃｏｎｔｒｏｌ)レイヤーは前記第３レイヤーに属し、ＵＥとネットワーク間の制御無線リソースを提供する。端末、基地局は無線通信ネットワークとＲＲＣレイヤーを介してＲＲＣメッセージを交換することができる。
【０２１８】
以上で説明した実施例は本発明の構成要素と特徴が所定の形態に結合されたものである。各構成要素又は特徴は別途の明示的言及がない限り選択的なものとして考慮されなければならない。各構成要素又は特徴は他の構成要素又は特徴と結合しない形態に実施されることができる。また、一部の構成要素及び／又は特徴を結合して本発明の実施例を構成することもできる。本発明の実施例で説明する動作の順序は変更されることができる。一実施例の一部の構成又は特徴は他の実施例に含まれることができ、あるいは他の実施例の対応する構成又は特徴と取り替えられることができる。特許請求範囲で明示的な引用関係がない請求項を結合して実施例を構成するとか出願後の補正によって新しい請求項として含ませることができるのは明らかである。
【０２１９】
本発明は本発明の精神及び必須特徴から逸脱しない範疇内で他の特定の形態に具体化されることができるのは当業者に明らかである。よって、前記の詳細な説明は全ての面で制限的に解釈されてはいけなく例示的なものとして考慮されなければならない。本発明の範囲は添付の請求項の合理的解釈によって決定されなければならなく、本発明の等価的範囲内での全ての変更は本発明の範囲に含まれる。
【産業上の利用可能性】
【０２２０】
以上のように本発明は様々な無線通信システムに適用できる。
【図１】
2020518138.tif 000006
【図２】
2020518138.tif 000007
【図３】
2020518138.tif 000008
【図４】
2020518138.tif 000009
【図５】
2020518138.tif 000010
【図６】
2020518138.tif 000011
【図７】
2020518138.tif 000012
【図８（ａ）】
2020518138.tif 000013
【図８（ｂ）】
2020518138.tif 000014
【図９（ａ）】
2020518138.tif 000015
【図９（ｂ）】
2020518138.tif 000016
【図１０】
2020518138.tif 000017
【図１１】
2020518138.tif 000018
【図１２】
2020518138.tif 000019
【図１３】
2020518138.tif 000020
【国際調査報告】
2020518138.tif 000021
2020518138.tif 000022
2020518138.tif 000023
2020518138.tif 000024
2020518138.tif 000025
2020518138.tif 000026